(57)【要約】      （修正有）【課題】ＭＩＭＯ無線通信システムでの効率的なプレコーディング行列検証の方法および装置を提供する。【解決手段】無線送受信ユニットＷＴＲＵは、プレコーディング行列インデックスＰＭＩをｅＮｏｄｅＢに送信する。ｅＮｏｄｅＢは、ＷＴＲＵのＰＭＩおよびｅＮｏｄｅＢのＰＭＩが同一であるか否かを示すＰＭＩインジケータを含む検証メッセージを送信する。ＷＴＲＵのＰＭＩおよびｅＮｏｄｅＢのＰＭＩが同一である場合には、ｅＮｏｄｅＢは、ＰＭＩインジケータだけを送信し、そうでない場合には、ｅＮｏｄｅＢは、ＰＭＩインジケータおよびｅＮｏｄｅＢのＰＭＩをＷＴＲＵに送信する。複数のＰＭＩを同時に送信することができ、ＰＭＩを複数のグループに区分することができる。ＰＭＩ妥当性検査メッセージを、制御シグナリングまたは専用基準信号の使用によってＷＴＲＵにシグナリングすることができる。【選択図】図３Ａ
2014132764.tif 000002
【特許請求の範囲】
【請求項１】
無線送信受信ユニット（ＷＴＲＵ）のための制御情報を通信するための方法であって、
前記ＷＴＲＵによって、プレコーディング行列インデックス（ＰＭＩ）インジケータ、および、単一のＰＭＩまたは単一のコードブック値を受信するステップと、
前記ＰＭＩインジケータを処理するステップであって、前記ＰＭＩインジケータは、前記ＷＴＲＵからのプレコーディングフィードバックにて示される１つまたは複数のプレコーディング行列を使用するかしないかを示し、前記ＰＭＩインジケータは、単一のビットである、ステップと
を備えることを特徴とする方法。
【請求項２】
前記ＰＭＩインジケータを受信するためのＰＭＩインジケータメッセージは、前記単一のビットのＰＭＩインジケータおよび複数のビットのビットセグメントを備えることを特徴とする請求項１に記載の方法。
【請求項３】
第２のビットセグメントは、インジケーションメッセージであり、前記インジケーションメッセージは、プレコーディング情報を備えることを特徴とする請求項２に記載の方法。
【請求項４】
前記インジケーションメッセージは、ｅＮｏｄｅＢによって使用されるプレコーディング情報を示すことを特徴とする請求項３に記載の方法。
【請求項５】
前記インジケーションメッセージは、コードブックを示して、前記ＷＴＲＵによって使用されることを特徴とする請求項３に記載の方法。
【請求項６】
前記ＰＭＩインジケータは、前記ｅＮｏｄｅＢは前記ＷＴＲＵから報告されるプレコーディングを使用していることを示すことを特徴とする請求項１に記載の方法。
【請求項７】
前記ＰＭＩインジケータは、２つの論理レベルを有するビットインジケータであり、前記ビットインジケータの第１論理レベルは、前記プリコーディングフィードバックに従うプレコーディングを示し、前記ビットインジケータの第２論理レベルは、前記プレコーディングフィードバックに従うプレコーディングではないことを示すことを特徴とする請求項１に記載の方法。
【請求項８】
前記単一のＰＭＩまたは前記単一のコードブック値を受信するステップは、プレコーディング情報を示すインデックスを受信するステップを含み、
前記ＰＩＭインジケータが前記第２論理レベルを示すとき、前記ＷＴＲＵは前記インデックスによって示される前記プレコーディング情報を使用すること
を特徴とする請求項７に記載の方法。
【請求項９】
前記単一のＰＭＩまたは前記単一のコードブック値を受信するステップは、プレコーディング情報を示すインデックスを受信するステップを含み、
前記ＰＭＩインジケータがｅＮｏｄｅＢプレコーディングは前記プレコーディング情報に従わないことを示すとき、前記ＷＴＲＵは前記インデックスによって示される前記プレコーディング情報を使用すること
を特徴とする請求項１に記載の方法。
【請求項１０】
前記ＷＴＲＵによって、前記プレコーディングフィードバックのように、複数のプレコーディング行列インデックス（ＰＭＩ）またはコードブック値を受信するステップであって、
前記受信するステップは、（１）第１フィールドにおける前記単一のビットＰＭＩインジケータ、および（２）第２フィールドにおける単一のＰＭＩのみまたは前記第２フィールドにおける前記単一のＰＭＩのみを表わす単一のコードブック値のみ、を含むメッセージを受信するステップを含み、前記第２フィールドは、前記第１フィールドから分離される、ステップをさらに備えたことを特徴とする請求項１に記載の方法。
【請求項１１】
制御情報を通信するように構成された無線送信受信ユニット（ＷＴＲＵ）であって、
プレコーディング行列インデックス（ＰＭＩ）インジケータ、および、単一のＰＭＩまたは単一のコードブック値を受信し、
前記ＰＭＩインジケータを処理し、前記ＰＭＩインジケータは、前記ＷＴＲＵからのプレコーディングフィードバックにて示される１つまたは複数のプレコーディング行列を使用するかしないかを示し、前記ＰＭＩインジケータは、単一のビットであるように構成されたプロセッサおよび送信機／受信機ユニット
を備えたことを特徴とする無線送信受信ユニット（ＷＴＲＵ）。
【請求項１２】
前記ＷＴＲＵは、通信のために、（１）フィードバックＰＭＩまたはフィードバックコードブック値に関連付けられたプレコーディング行列、または（２）前記単一のＰＭＩまたは前記単一のコードブック値に関連付けられたプレコーディング行列を使用するかどうかを決定するように構成されたことを特徴とする請求項１１に記載のＷＴＲＵ。
【請求項１３】
前記ＷＴＲＵは、前記単一のビットＰＭＩインジケータに関連付けられた第１ビットおよび前記単一のＰＭＩまたは前記単一のコードブック値に関連付けられたビットセグメントを含む前記受信されたメッセージを処理し、前記ビットセグメントは、拡張ＮｏｄｅＢによって使用されるプレコーディング情報を示すように構成されたことを特徴とする請求項１２に記載のＷＴＲＵ。
【請求項１４】
前記ビットセグメントは、前記第１ビットが前記拡張ＮｏｄｅＢは前記ＷＴＲＵから報告されるプレコーディングを使用していないことを示す条件で、単一のコードブック値を示して、前記ＷＴＲＵによって使用されることを特徴とする請求項１３に記載のＷＴＲＵ。
【請求項１５】
前記ＷＴＲＵは、前記拡張ｅＮｏｄｅＢから受信される、前記単一のビットＰＭＩインジケータおよび前記単一のＰＭＩまたは前記単一のコードブック値をジョイントデコードするように構成されたことを特徴とする請求項１１に記載のＷＴＲＵ。
【請求項１６】
前記ＷＴＲＵは、
前記プレコーディングフィードバックのように、複数のプレコーディング行列インデックス（ＰＭＩ）またはコードブック値を送信し、
（１）第１フィールドにおける前記単一のビットＰＭＩインジケータ、および（２）第２フィールドにおける単一のＰＭＩのみまたは前記第２フィールドにおける前記単一のＰＭＩのみを表わす単一のコードブック値のみ、を含むメッセージを受信し、前記第２フィールドは、前記第１フィールドから分離されるように構成されたことを特徴とする請求項１１に記載のＷＴＲＵ。
【発明の詳細な説明】
【背景技術】
【０００１】
Ｔｈｉｒｄ  ｇｅｎｅｒａｔｉｏｎ  ｐａｒｔｎｅｒｓｈｉｐ  ｐｒｏｊｅｃｔ  ３ＧＰＰおよび３ＧＰＰ２は、無線インターフェースおよびネットワークアーキテクチャ用のｌｏｎｇ  ｔｅｒｍ  ｅｖｏｌｕｔｉｏｎ  ＬＴＥを検討している。
【０００２】
より良い品質の音声サービスおよび高速データサービスを提供することに関する、無線事業者に対する常に高まる需要がある。その結果、より高いデータレートおよびより高い容量を使用可能にする無線通信システムが、差し迫って必要である。
【０００３】
これを達成するために、高められたチャネル容量、スペクトル効率、システム・スループット、ピークデータレート、および／またはリンク信頼性という利益を得るために、無線通信ネットワーク内でマルチ・アンテナ・システムを使用することが、ますます普及しつつある。そのようなマルチ・アンテナ・システムは、ｍｕｌｔｉｐｌｅ−ｉｎｐｕｔ−ｍｕｌｔｉｐｌｅ−ｏｕｔｐｕｔ（ＭＩＭＯ）システムと総称されるが、ｍｕｌｔｉｐｌｅ−ｉｎｐｕｔ−ｓｉｎｇｌｅ−ｏｕｔｐｕｔ（ＭＩＳＯ）構成およびまたはｓｉｎｇｌｅ−ｉｎｐｕｔ−ｍｕｌｔｉｐｌｅ−ｏｕｔｐｕｔ（ＳＩＭＯ）構成をも含む場合がある。
【０００４】
効率的なシグナリングは、ｅｖｏｌｖｅｄ  ｕｎｉｖｅｒｓａｌ  ｔｅｒｒｅｓｔｒｉａｌ  ｒａｄｉｏ  ａｃｃｅｓｓ（Ｅ−ＵＴＲＡ）に必須である。低オーバーヘッド制御シグナリング方式は、ＭＩＭＯリンク性能、システム容量、システム・スループット、情報データレート、および高められたスペクトル効率を改善することができる。
【０００５】
ＭＩＭＯシステムは、高スペクトル効率の見込みがあり、多数の無線通信標準規格で提案されてきた。多数の研究も、空間多重化ＭＩＭＯシステム（spatially multiplexed MIMO system）または時空間コーディングされたＭＩＭＯシステム（space-time coded MIMO system）のプレコーディング（precoding）に関して進行中である。プレコーディングは、高められたアレイ利得および／またはダイバーシティ利得を実現するのに使用される技法である。
【０００６】
プレコーディング情報は、送信信号と受信信号との間のチャネル不一致を避けるために、送信器（たとえば、基地局）から受信器（たとえば、無線送受信ユニット（ＷＴＲＵ））に通信される必要がある。これは、プレコーディングが使用されるときのＭＩＭＯデータ復調について特に重要である。受信器がデータ検出に不正なチャネル応答を使用するときには、大きい性能劣化が発生し得る。
【０００７】
一般に、プレコーディング情報は、特に送信器および受信器がプレコーディングに関するアンテナ重みおよび係数の制限されたセットの使用に制限されるときに、明示的な制御シグナリングを使用して通信され得る。アンテナ重みおよび係数の制限されたセットを、時々、プレコーディング・コードブックと称する。プレコーディング情報を送信器から受信器に通信するための明示的シグナリングは、特に大きいサイズのコードブックに関して、大きいシグナリング・オーバーヘッドをこうむる場合がある。このシグナリング・オーバーヘッドは、周波数選択性プレコーディングが使用されるときに、数倍に拡大される（magnified manifold）。
【０００８】
プレコーディング行列（precoding matrix）またはアンテナ重みの妥当性検査（validation）および検証（verification）は、送信器と受信器との間の有効チャネル不一致を避けるのに使用される。基地局とモバイル送受器との間の有効チャネルとは、ＭＩＭＯプレコーディング効果を経験するチャネルであり、チャネル行列Ｈとｅｖｏｌｖｅｄ  Ｎｏｄｅ−Ｂ（ｅＮｏｄｅＢ）または送信器で使用されるプレコーディング行列Ｖとの積である。送信器と受信器との間の有効チャネルの不一致は、ＭＩＭＯ通信システムの深刻な性能劣化を引き起こす。
【０００９】
図１Ａに、プレコーディング行列またはアンテナ重みのシグナリング方式を示す。図１に示された方式では、無線送受信ユニット（ＷＴＲＵ）１１１は、プレコーディング行列インデックス（ＰＭＩ）またはアンテナ重みを基地局またはｅＮｏｄｅＢ  １１３にフィードバックする。ＷＴＲＵが、ＰＭＩ＿ｊ（Ｙビットを有する）１１５をｅＮｏｄｅＢにフィードバックすると仮定する。ｅＮｏｄｅＢで使用される現在のプレコーディング行列についてＷＴＲＵに知らせるために、ｅＮｏｄｅＢは、妥当性検査メッセージＰＭＩ＿ｋ（Ｙビット）１１７をＷＴＲＵに送信する。フィードバック・エラーまたはオーバーライド（override：無効）の場合には、ＰＭＩ＿ｊはＰＭＩ＿ｋと等しくない。フィードバック・エラーがなく、ｅＮｏｄｅＢオーバーライドがない場合には、ＰＭＩ＿ｊ＝ＰＭＩ＿ｋである。妥当性検査メッセージは、複数の形で、たとえば制御シグナリングを介してまたは基準信号を介して送信することができる。
【００１０】
広帯域符号分割多元接続（ＷＣＤＭＡ）などの一部のシステムでは、送信器から受信器にシグナリングされおよびその逆が行われる必要がある１つのＰＭＩだけがある。信号は、拡散符号（spreading code）を使用して時間領域で送信される。正確に単一のＰＭＩ（Ｙビット）を受信器にシグナリングすることは、Ｙの値が穏当（reasonable）である限り、多すぎるオーバーヘッドをこうむらない。しかし、周波数領域が時間領域に追加的である直交周波数分割多重ＯＦＤＭシステムなどの一部のシステムでは、周波数選択性プレコーディングをサポートするために妥当性検査のためにＷＴＲＵからフィードバックされ、ｅＮｏｄｅＢから送信される必要がある複数のＰＭＩがある場合がある。周波数選択性プレコーディングは、システム帯域幅内のサブ・バンドごとにＭＩＭＯプレコーディングを実行する。システム帯域幅全体を、複数のサブ・バンドに分割することができる。各サブ・バンドは、１つまたは複数の副搬送波（sub-carrier）からなる。１つのプレコーディング行列はサブ・バンドごとに送信データをプレコーディングするのに使用される。極端な場合にサブ・バンドが副搬送波のみからなる場合に、プレコーディングを副搬送波ごとに実行することができる。複数ＰＭＩが受信器（ＷＴＲＵ）にシグナリングされる必要がある場合には、シグナリング・オーバーヘッドが大きくなる可能性がある。たとえば、シグナリングされるべきＺ個のＰＭＩがあり、各ＰＭＩがＹビットを有する場合には、総オーバーヘッドはＺ×Ｙビットである。ＺまたはＹ自体が大きい場合には、シグナリング・オーバーヘッドが大きい。
【００１１】
プレコーディング行列およびプレコーディングベクトル（precoding vector）に関する用語法は、交換可能であり、プレコーディングされるべきデータ・ストリームの個数に依存する。
【００１２】
各ＰＭＩは、Ｌビットによって表され、ここで、Ｌの値は、ＭＩＭＯ構成と、サポートされるべきデータ・ストリームのコードブック・サイズおよび個数とに依存する。ＷＴＲＵは、通信のためにリソースを割り当てられる。リソース・ブロック（ＲＢ）は、Ｍ個の副搬送波からなり、たとえば、Ｍは、値（１２）をとることができる。リソース・ブロック・グループ（ＲＢＧ）またはサブ・バンドは、Ｎ個のリソース・ブロック（Ｎ＿ＲＢ）からなり、たとえば、Ｎ＿ＲＢ＝２、４、５、６、１０、２５、または帯域幅全体である。システム帯域幅は、帯域幅のサイズおよびＲＢＧあたりのＮ＿ＲＢの値に依存して、１つまたは複数のＲＢＧまたはサブ・バンドを有することができる。たとえば、システム帯域幅あたりのＲＢＧの個数すなわちＮ＿ＲＢＧは、１、２、４、１０、２０、および５０とすることができる。一般に、用語ＲＢＧおよびサブ・バンドは、交換可能である。
【００１３】
ＷＴＲＵは、報告のためにＷＴＲＵのために構成されるかＷＴＲＵによって選択されるＲＢＧごとに１つのＰＭＩをフィードバックする。所与の帯域幅のＮ＿ＲＢＧ個のＲＢＧの中に、Ｎ個のＲＢＧがあり、ここで、「Ｎ≦Ｎ＿ＲＢＧ」を、ＷＴＲＵのために構成するか、ＷＴＲＵによって選択することができる。「Ｎ」個のＲＢＧが、プレコーディング情報を報告するためにＷＴＲＵのために構成されるかＷＴＲＵによって選択される場合に、ＷＴＲＵは、「Ｎ」個のＰＭＩをｅＮｏｄｅＢにフィードバックする。ｅＮｏｄｅＢは、「Ｎ」個のＰＭＩを含むプレコーディング妥当性検査メッセージをＷＴＲＵに送り返す。
【００１４】
ｅＮｏｄｅＢで使用される現在のＰＭＩについてＷＴＲＵに知らせるために、ｅＮｏｄｅＢは、「Ｎ」個のＰＭＩをＷＴＲＵに送り返す。ＰＭＩ妥当性検査メッセージあたりのｅＮｏｄｅＢがＷＴＲＵに送信するビットの総数は、「Ｎ＿ＰＭＩ×Ｎ」ビットである。
【００１５】
表１Ａに、Ｎ＿ＰＭＩ＝５ビットを仮定したＰＭＩ妥当性検査メッセージのビット数を示す。数は、５ＭＨｚ、１０ＭＨｚ、および２０ＭＨｚのシステム帯域幅について要約されている。第２行は、Ｎ＿ＲＢすなわちＲＢＧあたりのＲＢの個数である。たとえば、Ｎ＿ＲＢは、２０ＭＨｚについて２から１００までの範囲にわたる。第３行は、システム帯域幅あたりのＮ＿ＲＢＧすなわち、５ＭＨｚ、１０ＭＨｚ、および２０ＭＨｚのシステム帯域幅あたりのＲＢＧの個数であり、Ｎ＿ＲＢＧの値は、１から５０までの範囲にわたる。第４行は、妥当性検査メッセージまたはグラントチャネル（grant channel）あたりのＰＭＩ妥当性検査シグナリングのビットの総数である。
【００１６】
【表１】
2014132764.tif 000003
【００１７】
このプレコーディング行列（１つまたは複数）またはアンテナ重みの妥当性検査（以下では「プレコーディング情報妥当性検査」（precoding information validation）または「ＰＭＩ妥当性検査」（PMI validation）と称する）は、妥当性検査メッセージあたり２５０ビットまでまたはそれより多数のビットを必要とする場合がある。したがって、この方式は、非効率的である。
【発明の概要】
【発明が解決しようとする課題】
【００１８】
したがって、ＰＭＩ妥当性検査のシグナリング・オーバーヘッドを減らす方法および装置を提供することが望ましい。
【課題を解決するための手段】
【００１９】
ＭＩＭＯ無線通信での効率的なプレコーディング情報妥当性検査の方法および装置を提供する。
【００２０】
無線送受信ユニットＷＴＲＵは、１つまたは複数のプレコーディング情報またはプレコーディング行列インデックス（ＰＭＩ）をｅＮｏｄｅＢに送信する。それに応答して、ＷＴＲＵは、ＷＴＲＵによって報告されたプレコーディング情報との一致があるか否かを示すプレコーディング確認メッセージを含む妥当性検査メッセージ（ＰＭＩインジケータ）をｅＮｏｄｅＢから受信する。プレコーディング情報の間に一致がある、すなわちプレコーディング情報が同一である場合には、ｅＮｏｄｅＢで使用されるプレコーディング情報がＷＴＲＵからフィードバックされたプレコーディング情報と同一であることを確認するプレコーディング確認メッセージを含むプレコーディング妥当性検査メッセージが、ＷＴＲＵによってｅＮｏｄｅＢから受信される。しかし、不一致があるか、ＷＴＲＵからフィードバックされたプレコーディング情報がｅＮｏｄｅＢによってオーバーライドされる場合には、ＷＴＲＵは、ｅＮｏｄｅＢがＷＴＲＵからフィードバックされたプレコーディング情報を使用しないことを示すプレコーディング確認／インジケーション・メッセージを含む妥当性検査メッセージをｅＮｏｄｅＢから受信する。ＷＴＲＵは、ｅＮｏｄｅＢで使用されつつあるプレコーディング情報を示すプレコーディング・インジケーション・メッセージを含む妥当性検査メッセージをｅＮｏｄｅＢから受信することもできる。プレコーディング確認メッセージを使用するプレコーディング妥当性検査は、シグナリング・オーバーヘッドを減らすのに使用される。
【００２１】
ｅＮｏｄｅＢは、プレコーディング確認メッセージをＷＴＲＵに送信する。このプレコーディング確認メッセージは、ダウンリンクＤＬプレコーディング妥当性検査の状態を示すＰＭＩインジケータによって運ばれることができる。ＰＭＩインジケータは、ＷＴＲＵプレコーディング・フィードバックに対応するプレコーディング妥当性検査に関するプレコーディング確認状態または１つもしくは複数のプレコーディング情報状態を表す１ビットまたはビットシーケンスとすることができる。
【００２２】
プレコーディング確認を使用する妥当性検査メッセージまたはＰＭＩインジケータは、１つまたは複数のビットからなるものとすることができる。単一ビットまたはより多数のビットのいずれかを使用するＰＭＩインジケータの使用は、プレコーディング情報および状態を示すのを助け、したがって、オーバーヘッドを減らすのを助け、効率を高める。
【００２３】
本発明のより詳細な理解を、例として与えられ、添付図面と共に理解されるべき、好ましい実施形態の次の説明から得ることができる。
【図面の簡単な説明】
【００２４】
【図１Ａ】プレコーディング行列またはアンテナ重みのシグナリング方式を示す図である。
【図１Ｂ】プレコーディング行列送信を実施するように構成された送信器および受信器を示す例のブロック図である。
【図２】シグナリング方式（単一ＰＭＩフィードバックに関する単一ＰＭＩ妥当性検査）の第１実施形態を示す図である。
【図３Ａ】プレコーディング行列検証またはアンテナ重み検証に関するシグナリング方式（複数ＰＭＩフィードバックに関する複数ＰＭＩ妥当性検査）の第２実施形態を示す図である。
【図３Ｂ】複数ＰＭＩフィードバックに関する単一ＰＭＩ妥当性検査のシグナリング方式のもう１つの実施形態を示す図である。
【図４】ＰＭＩ妥当性検査メッセージ方式を示す図である。
【図５】ＰＭＩ妥当性検査メッセージ方式を示す図である。
【図６】ＰＭＩ妥当性検査メッセージ方式を示す図である。
【図７】ＰＭＩ妥当性検査メッセージ方式を示す図である。
【図８】ＰＭＩ妥当性検査メッセージ方式を示す図である。
【図９】ＰＭＩ妥当性検査シグナリングをアタッチされた制御シグナリング方式を示す図である。
【図１０】ＰＭＩ妥当性検査シグナリングを挿入された制御シグナリング方式を示す図である。
【図１１】さまざまなＷＴＲＵと通信する複数のＮｏｄｅＢを有する無線通信システムを示す図である。
【発明を実施するための形態】
【００２５】
下で言及されるときに、用語「ＷＴＲＵ」は、無線送受信ユニット（ＷＴＲＵ）、移動局、固定のまたはモバイルの加入者ユニット、ポケットベル、セル電話機、携帯情報端末（ＰＤＡ）、コンピュータ、または無線環境で動作できる任意の他のタイプのユーザデバイスを含むが、これらに限定はされない。下で言及されるときに、用語「ｅＮｏｄｅＢ」は、Ｎｏｄｅ−Ｂ、基地局、サイトコントローラ、アクセスポイント（ＡＰ）、または無線環境で動作できる任意の他のタイプのインターフェースするデバイスを含むが、これらに限定はされない。
【００２６】
用語「ＰＭＩインジケータ」は、アンテナ重み、ＰＭＩ、ビームフォーミング重みなどの妥当性検査状態の、またはこれに対応する、フィードバック信号に応答するインジケータに言及するのに使用される。「ＰＭＩインジケータ」は、さまざまな設計、方式、および目的に応じて、プレコーディング確認メッセージ、プレコーディング・インジケーション・メッセージ、他のプレコーディング関連メッセージ、またはこれらの組合せを運ぶ（carry）ことができる。プレコーディング・インジケーション・メッセージは、プレコーディング妥当性検査の状態に応じて、プレコーディング情報インジケーション・メッセージ、ランク・オーバーライド・メッセージ、フィードバック・エラー・メッセージなどとすることができる。プレコーディング情報インジケーション・メッセージ、ランク・オーバーライド・メッセージなどは、ランク情報（rank information）または他のプレコーディング関連情報を示すことができる。
【００２７】
下で説明する方法は、Ｅ−ＵＴＲＡに関する、効率的なアンテナ重み、ビームフォーミング情報、もしくはプレコーディング情報、またはプレコーディング行列表示ＰＭＩのシグナリングおよび妥当性検査の方式を提供する。
【００２８】
図１Ｂは、下で説明するプレコーディング行列表示の方法を実行するように構成された送信器１１０および受信器１２０の機能ブロック図である。通常の送信器／受信器に含まれるコンポーネントに加えて、送信器１１０は、プレコーディング情報判定器（determiner）１１４、プレコーディング・プロセッサ１１６、アンテナ・アレイ１１８、ならびに、プレコーディング確認メッセージ・ブロック１３２およびプレコーディング・インジケーション・メッセージ・ブロック１３４からなるプレコーディング妥当性検査メッセージ・ジェネレータ１３６を含む。プレコーディング・プロセッサ１１６に結合されたプレコーディング情報判定器１１４は、ＲＸ  １２０のプレコーディング情報ジェネレータ１２４からの受信されたプレコーディング・フィードバックに基づいてプレコーディング情報を判定するのに使用される。プレコーディング情報判定器１１４の出力は、データ送信、たとえば、直交周波数分割多重（ＯＦＤＭ）シンボルを受信器１２０に送信するときに、プレコーディング・プロセッサ１１６および送信器１１０によって使用される。プレコーディング情報判定器１１４に結合されたプレコーディング妥当性検査メッセージ・ジェネレータ１３６は、プレコーディング情報判定器１１４の出力に基づいて妥当性検査メッセージを生成するのに使用される。プレコーディング妥当性検査メッセージ・ジェネレータ１３６は、プレコーディング情報ジェネレータ１２４からの受信されたプレコーディング・フィードバック信号およびプレコーディング情報判定器１１４からの生成されたプレコーディング情報を使用して、プレコーディング妥当性検査の状態を判定し、対応する妥当性検査メッセージを生成する。たとえば、プレコーディング情報判定器１１４によって生成されるプレコーディング情報とプレコーディング情報ジェネレータ１２４によって生成されるプレコーディング情報との間に一致がある場合には、プレコーディング確認メッセージを含む妥当性検査メッセージが送信され、そうでない場合には、プレコーディング・インジケーション・メッセージを含む妥当性検査メッセージが送信される。
【００２９】
受信器１２０は、受信器１２８、プレコーディング情報ジェネレータ１２４、チャネル推定器１３０、復調器／プロセッサ１２６、およびプレコーディング妥当性検査メッセージ−プレコーディング情報コンバータ１３８を含む。下でより詳細に開示するように、受信器１２８を含む受信器１２０は、送信器１１０からの送信されたＯＦＤＭブロックを受信し、チャネル推定器１３０によってチャネル推定を実行し、その後にアンテナ１２７を介して送信されるプレコーディング・フィードバック信号を生成するためにプレコーディング情報ジェネレータ１２４を使用してプレコーディング情報を生成する。受信器１２０は、送信器１１０のプレコーディング妥当性検査メッセージ・ジェネレータ１３６からプレコーディング妥当性検査メッセージをも受信し、このプレコーディング妥当性検査メッセージを検出し、復号し、このプレコーディング妥当性検査メッセージを、プレコーディング妥当性検査メッセージ−プレコーディング情報コンバータ１３８を使用してプレコーディング情報に変換する。プレコーディング妥当性検査メッセージ−プレコーディング情報コンバータ１３８の出力のプレコーディグ情報は、ＭＩＭＯデータ検出、復号、および処理のために復調器／プロセッサ１２６に供給される。
【００３０】
ｅＮｏｄｅＢは、送信器１１０を含み、ＷＴＲＵ  ２０は、受信器１２０を含む。送信器１１０を、ＷＴＲＵまたは基地局あるいはその両方に配置することができ、受信器１２０を、ＷＴＲＵまたは基地局のいずれかまたはその両方に配置できることに留意されたい。
【００３１】
プレコーディング確認を使用する妥当性検査メッセージまたはＰＭＩインジケータは、単一ビットからなるものとすることができる。たとえば、プレコーディング確認またはＰＭＩインジケータは、（１）ｅＮｏｄｅＢで使用されるプレコーディング情報がＷＴＲＵからフィードバックされたプレコーディング情報と正確に同一であることをＷＴＲＵに知らせるプレコーディング確認メッセージ、または（２）ｅＮｏｄｅＢで使用されるプレコーディング情報がＷＴＲＵからフィードバックされたプレコーディング情報と同一ではないことを示すプレコーディング・インジケーション・メッセージ（これは、異なるプレコーディング情報がｅＮｏｄｅＢで使用されていることを示す）として、単一ビットを使用して２つの可能な妥当性検査メッセージを運ぶことができる。
【００３２】
プレコーディング妥当性検査メッセージまたはＰＭＩインジケータは、複数のビットからなるものとすることもできる。プレコーディング妥当性検査メッセージは、１つのプレコーディング確認メッセージおよび複数のプレコーディング・インジケーション・メッセージを運ぶことができる。たとえば、プレコーディング妥当性検査メッセージまたはＰＭＩインジケータは、（１）ｅＮｏｄｅＢで使用されるプレコーディング情報がＷＴＲＵからフィードバックされたプレコーディング情報と正確に同一であることをＷＴＲＵに知らせるプレコーディング確認メッセージ、または（２）ｅＮｏｄｅＢで使用されるプレコーディング情報がＷＴＲＵからフィードバックされたプレコーディング情報と同一ではないことをＷＴＲＵに知らせ、どのプレコーディング情報がｅＮｏｄｅＢで使用されているのかを示す、複数の可能なプレコーディング・インジケーション・メッセージのうちの１つとして、複数のビットを使用して複数の可能なメッセージを担持することができる。
【００３３】
プレコーディング・インジケーション・メッセージは、ＷＴＲＵプレコーディング・フィードバックがエラーを有するか信頼できない場合、またはＷＴＲＵのプレコーディング・フィードバックがｅＮｏｄｅＢによってオーバーライドされる場合に使用される種類のプレコーディング情報を示すことができる。さらに、プレコーディング・インジケーション・メッセージは、そのプレコーディング・フィードバックにおけるＷＴＲＵのランク情報がｅＮｏｄｅＢによってオーバーライドされる場合に、プレコーディング情報のどのサブセットが使用されるのかを示すことができる。
【００３４】
プレコーディング情報またはＰＭＩは、ランク情報を含むＭＩＭＯプレコーディングに関するすべての情報を含むことができる。
【００３５】
説明される方法は、ＷＴＲＵのプレコーディング・フィードバックに関する確認メッセージからなる効率的な妥当性検査メッセージを使用することによって、ＰＭＩ妥当性検査のオーバーヘッドを減らす。妥当性検査メッセージは、インジケーション・メッセージをも含むことができる。一例として、Ｑビットの妥当性検査メッセージまたはＰＭＩインジケータが使用される。Ｑは、すべてのＰＭＩインジケータに関して１以上とすることができる。たとえば、妥当性検査メッセージが、１つの確認メッセージまたは１つのインジケーション・メッセージのいずれかである場合に、Ｑ＝１ビットが、十分である。妥当性検査メッセージが、１つの確認メッセージまたは複数のインジケーション・メッセージのうちの１つのいずれかである場合には、Ｑ＞１ビットを使用することができる。
【００３６】
確認メッセージおよびインジケーション・メッセージを、別々にコーディングまたは符号化するか、合同でコーディングまたは符号化するかのいずれかを行うことができる。別々のコーディングまたは符号化の方式の場合に、妥当性検査メッセージは、２つの部分すなわち、確認部分（confirmation part）およびインジケーション部分（indication part）からなるものとすることができる。確認部分は、通常、肯定確認メッセージまたは否定確認メッセージを運ぶのに１ビットを使用する。インジケーション部分は、通常、複数のインジケーション・メッセージを運ぶのに１つまたは複数のビットを使用する。確認メッセージでは、肯定確認メッセージは、ｅＮｏｄｅＢで使用されるプレコーディング情報がＷＴＲＵからフィードバックされたプレコーディング情報と正確に同一であることをＷＴＲＵに知らせるのに使用される。その一方で、否定確認メッセージは、ｅＮｏｄｅＢで使用されるプレコーディング情報がＷＴＲＵからフィードバックされたプレコーディング情報と同一ではないことをＷＴＲＵに知らせるのに使用される。これは、異なるプレコーディング情報がｅＮｏｄｅＢで使用されていることをＷＴＲＵに示す。ｅＮｏｄｅＢで使用されているプレコーディング情報の種類は、妥当性検査メッセージのインジケーション部分で示される。妥当性検査メッセージのインジケーション部分では、ｅＮｏｄｅＢで使用されているプレコーディング情報が指摘される。
【００３７】
確認部分およびインジケーション部分または確認フィールドおよび表示フィールドを有する別々のコーディング・メッセージ・フォーマットは、次のように示される。
【００３８】
【表２】
2014132764.tif 000004
【００３９】
ジョイント・コーディング方式またはジョイント符号化方式では、妥当性検査メッセージは、合同で符号化される確認メッセージおよびインジケーション・メッセージを組み合わせる１つの部分のみからなるものとすることができる。妥当性検査メッセージのそれぞれは、１つの確認メッセージ（肯定確認メッセージ）または可能な複数のインジケーション・メッセージのうちの１つのいずれかを運ぶことができる。確認メッセージ（肯定確認メッセージ）は、ｅＮｏｄｅＢで使用されるプレコーディング情報がＷＴＲＵからフィードバックされたプレコーディング情報と正確に同一であることをＷＴＲＵに知らせるのに使用される。ジョイント・コーディングでのインジケーション・メッセージは、２つの目的すなわち、否定確認とプレコーディング・インジケーションとを同時に提供するように働く。すなわち、インジケーション・メッセージは、ｅＮｏｄｅＢで使用されるプレコーディング情報がＷＴＲＵからフィードバックされたプレコーディング情報と同一ではないことをＷＴＲＵに知らせるのに使用され、ｅＮｏｄｅＢで使用されているプレコーディング情報をも示す。妥当性検査メッセージに関する単一の組み合わされた確認／インジケーションの部分またはフィールドを有するジョイント・コーディング・メッセージ・フォーマットは、次のように示される。
【００４０】
【表３】
2014132764.tif 000005
【００４１】
確認メッセージおよびインジケーション・メッセージの別々のコーディングまたは符号化は、単純である。したがって、さらに、確認メッセージまたは１ビットだけが送信される必要があるほとんどのときに、効率は高い。しかし、受信器は、「確認メッセージ」および「確認＋インジケーション・メッセージ」が異なる長さを有するので、これらの間で区別しなければならない。これは、受信器の検出複雑さを増やす。「確認メッセージ」と「確認＋インジケーション・メッセージ」との間の異なる長さの問題を回避するために、ｅＮｏｄｅＢおよびＷＴＲＵのプレコーディング情報が同一であるか否かにかかわりなく、同一のフォーマットを使用することができる。たとえば、「確認＋インジケーション・メッセージ」と同一のフォーマットを、確認メッセージだけを有する「確認メッセージ」によって使用することができる。さらに、複数サブ・バンド・プレコーディングの場合に、１つの確認メッセージおよび複数のインジケーション・メッセージを送信するのではなく、１つの確認メッセージおよび１つのインジケーション・メッセージだけを送信することができる。１つの確認メッセージおよび１つのインジケーション・メッセージだけを使用する方式は、すべてのサブ・バンドについてｅＮｏｄｅＢで使用される単一のプレコーディング情報またはプレコーディング行列に対応する１つのインジケーション・メッセージだけが送信されるので、広帯域プレコーディングまたは非周波数選択性プレコーディングである。１つの確認メッセージおよび複数のインジケーション・メッセージを使用する方式は、複数のプレコーディング情報またはプレコーディング行列が複数のサブ・バンドについて使用され、各プレコーディング情報またはプレコーディング行列が１つのサブ・バンドについて使用されるので、マルチバンド・プレコーディングまたは周波数選択性プレコーディングである。確認のみのメッセージと確認メッセージおよびインジケーション・メッセージとの両方に同一のフォーマットを使用することと、ｅＮｏｄｅＢで使用されるプレコーディング情報およびＷＴＲＵからフィードバックされたプレコーディング情報が同一でないときに非周波数選択性プレコーディングを使用することとによって、受信器での検出複雑さが、減らされ、または回避される。ｅＮｏｄｅＢで使用されるプレコーディング情報とＷＴＲＵからフィードバックされたプレコーディング情報とが同一であるときには、マルチバンド・プレコーディングまたは周波数選択性プレコーディングが使用される。
【００４２】
ジョイント・コーディングは、確認メッセージおよびインジケーション・メッセージを組み合わせ、妥当性検査メッセージあたりのより多数のビットを節約することができる。しかし、送信されるすべての妥当性検査メッセージが、確認メッセージとインジケーション・メッセージとの両方を含み、したがって、妥当性検査メッセージ内で一貫して送信される一定のビット数がある。総合的効率は、別々のコーディングと比較してジョイント・コーディングについてより低い可能性があるが、ジョイント・コーディングは、受信器の検出複雑さを増やさない可能性がある。プレコーディング情報に関する別々のまたはジョイントのコーディング方式または符号化方式のいずれかを使用するプレコーディング・フィードバックに応答する確認メッセージおよびインジケーション・メッセージの使用は、単純な方法より高い効率をもたらす。というのは、単純な方法が非常に多数のビットを使用するからである。
【００４３】
もう１つの例として、確認メッセージおよびインジケーション・メッセージに関する別々のコーディングを使用するＱ＝２ビットに関して、妥当性検査メッセージの確認部分は、１ビットを使用することができ、妥当性検査メッセージのインジケーション部分は、他のビットを使用することができる。ビット０を有する妥当性検査メッセージの確認部分は、肯定確認メッセージを表すことができ、ビット１は、否定確認メッセージを表すことができ、ビット０および１を有する妥当性検査メッセージのインジケーション部分は、それぞれ、対応してプレコーディング情報１およびプレコーディング情報２を示すことができるインジケーション・メッセージ１およびインジケーション・メッセージ２を表すことができる。
【００４４】
確認メッセージおよびインジケーション・メッセージに関するジョイント・コーディングを使用するＱ＝２ビットに関して、ビットシーケンス００を有する妥当性検査メッセージは、確認メッセージ（肯定確認メッセージ）を表すことができ、ビットシーケンス０１、１０、および１１を有する妥当性検査メッセージは、それぞれ、対応してプレコーディング情報１、プレコーディング情報２、およびプレコーディング情報３を示すことができるインジケーション・メッセージ１、インジケーション・メッセージ２、およびインジケーション・メッセージ３を表すことができる。ビットシーケンス０１、１０、および１１を有する妥当性検査メッセージは、確認メッセージおよびインジケーション・メッセージのジョイント・コーディングまたはジョイント符号化に起因して、否定確認メッセージを自動的に表す。
【００４５】
同様に、確認メッセージおよびインジケーション・メッセージについて別々のコーディングを使用するときのＱ＝３ビットに関して、妥当性検査メッセージの確認部分は、１ビットを使用することができ、妥当性検査メッセージのインジケーション部分は、２ビットを使用することができる。ビット０を有する妥当性検査メッセージの確認部分は、肯定確認メッセージを表すことができ、ビット１は、否定確認メッセージを表すことができ、ビット００〜１１を有する妥当性検査メッセージのインジケーション部分は、それぞれインジケーション・メッセージ番号１からインジケーション・メッセージ番号４を表すことができ、これらは、対応してプレコーディング情報番号１から４を示す。
【００４６】
同様に、確認メッセージおよびインジケーション・メッセージのジョイント・コーディングまたはジョイント符号化を使用するときのＱ＝３ビットに関して、ビットシーケンス０００を有する妥当性検査メッセージは、肯定確認メッセージを表すことができ、ビットシーケンス００１から１１１を有する妥当性検査メッセージは、否定確認メッセージを表すと同時に、それぞれインジケーション・メッセージ番号１からインジケーション・メッセージ番号７を表すことができ、これらは、それぞれプレコーディング情報番号１からプレコーディング情報番号７を示す。
【００４７】
インジケーション・メッセージは、プレコーディング情報を示すことができる。さらに、インジケーション・メッセージは、プレコーディング情報、プレコーディング・ルール、オーバーライド・ルールなどのサブセットを示すこともできる。たとえば、インジケーション・メッセージは、どのプレコーディング情報またはプレコーディング行列が使用されるか（これにはランク情報をも含むことができる）、ｅＮｏｄｅＢがどのようにオーバーライドするか（たとえば、プレコーディング・フィードバック内のＷＴＲＵのランクがオーバーライドされるときに、どのプレコーディング情報またはプレコーディング行列を使用しなければならないのか）、ＷＴＲＵフィードバックにエラーがある場合をｅＮｏｄｅＢがどのように処理するのか（たとえば、有効である以前に使用されたプレコーディング情報を使用する）を示すことができる。情報が何に対して示されるのかに従って、インジケーション・メッセージは、異なるタイプのメッセージ、たとえば、プレコーディング情報インジケーション・タイプ・メッセージ、プレコーディングまたはランクのオーバーライド・メッセージ、フィードバック・エラー・メッセージなどを有することができる。したがって、妥当性検査メッセージは、複数のタイプのメッセージを有することができる。２タイプのメッセージすなわち、確認メッセージおよびインジケーション・メッセージを有する妥当性検査メッセージを、表１Ｂに要約する。
【００４８】
【表４】
2014132764.tif 000006
【００４９】
４つのタイプのメッセージすなわち、確認メッセージ、インジケーション・メッセージ、オーバーライド・メッセージ、およびフィードバック・エラー・メッセージを有する妥当性検査メッセージを、表１Ｃに要約する。
【００５０】
【表５】
2014132764.tif 000007
【００５１】
上で説明した用法は、すべてのＭＩＭＯ無線通信システムに適用可能であり、アップリンクＵＬおよびダウンリンクＤＬに適用可能である。用語「ＰＭＩインジケータ」は、アンテナ重み、ＰＭＩ、ビームフォーミング重みなどの妥当性検査状態の、またはこれに対応する、フィードバック信号に応答するインジケータに言及するのに使用される。
【００５２】
一般に、１つの確認メッセージ、Ｍ１個のインジケーション・メッセージ（異なるプレコーディング情報を示す）、Ｍ２個のオーバーライド・メッセージ（プレコーディングに関する異なるオーバーライド・ルールを示す）、およびＭ３個のフィードバック・エラー・メッセージ（フィードバック・エラーを処理するための異なるプレコーディング・ルールを示す）があり得る。妥当性検査メッセージを表すためのビットの総数は、ｌｏｇ2（１＋Ｍ１＋Ｍ２＋Ｍ３）である。
【００５３】
ジョイント・コーディングを、異なる設計および目的のためのランク情報を含んでも含まなくてもよいプレコーディング確認メッセージ、プレコーディング情報メッセージまたはインジケーション・メッセージのために実行することができる。さらに、オーバーライド・メッセージ、フィードバック・エラー・メッセージ、または他のＭＩＭＯ関連の情報およびメッセージが使用される場合に、ジョイント・コーディングを、ランク・オーバーライド・メッセージ、フィードバック・エラー・メッセージ、または他のＭＩＭＯ関連の情報およびメッセージのために実行することもできる。
【００５４】
単一ビットまたはより多くのビットのいずれかを使用する上の方式の実施態様は、次のように説明される。ＰＭＩの間の一致がある、すなわち、ＰＭＩが同一であるときには、ＰＭＩインジケータだけが、ＷＴＲＵによって受信される。その代わりに、ｅＮｏｄｅＢのＰＭＩと共に、ＰＭＩインジケータを、ＷＴＲＵによって受信することもできる。しかし、不一致があるか、ＷＴＲＵのＰＭＩがオーバーライドされる場合には、ＷＴＲＵは、ｅＮｏｄｅＢのＰＭＩと共にＰＭＩインジケータを受信する。この例では、ＰＭＩインジケータは、プレコーディング確認フィールドであり、ＰＭＩは、プレコーディング・インジケーション・フィールドである。
【００５５】
複数のＰＭＩを同時に送信することができ、ＰＭＩを、複数のグループに区分することができる。
【００５６】
図２に、下で説明される方法のもう１つの実施形態によるシグナリング方式を示す。ＷＴＲＵまたは受信器２１１は、ＰＭＩ＿ｊ（Ｙビットを有する）２１５として表されているように、ＰＭＩまたはアンテナ重みをｅＮｏｄｅＢまたは送信器２１３に送信する。ｅＮｏｄｅＢで現在使用されているプレコーディング行列またはアンテナ重みについてＷＴＲＵまたは受信器に知らせるために、ｅＮｏｄｅＢは、ＰＭＩ＿ｋ（Ｙビット）２１７として表されているように、妥当性検査メッセージをＷＴＲＵまたは受信器に送り返す。ｅＮｏｄｅＢおよびＷＴＲＵが、同一のプレコーディング行列またはアンテナ重みを使用するときには、ｅＮｏｄｅＢは、ＰＭＩまたはアンテナ重みビット全体を送信するのではなく、プレコーディング行列またはアンテナ重みが同一であることを示すＰＭＩインジケータすなわちＰＭＩ＿ＩＮＤ（１ビット）２１７のみを送信する。フィードバック・エラーは、通常は少なく、典型的には１％である。ほとんどのときに、ｅＮｏｄｅＢおよびＷＴＲＵは、同一のプレコーディング行列またはアンテナ重みを使用する。したがって、大体の場合に、１ビットＰＭＩインジケータ（肯定確認または否定確認メッセージ）が送信される。
【００５７】
このシグナリング方式は、シグナリング・オーバーヘッドを大幅に減らし、次のように要約される。ＰＭＩインジケータすなわちＰＭＩまたはアンテナ重みのインジケータが１でセットされる場合に、これは、否定確認メッセージを示し、ｅＮｏｄｅＢおよびＷＴＲＵで使用されるＰＭＩまたはアンテナ重みが同一ではないことを示す。これは、通常、フィードバック・エラーの場合またはｅＮｏｄｅＢがＷＴＲＵのフィードバックをオーバーライドする場合に発生する。
【００５８】
ＰＭＩインジケータすなわちＰＭＩまたはアンテナ重みのインジケータが０でセットされているときには、これは、肯定確認メッセージを示し、ｅＮｏｄｅＢおよびＷＴＲＵで使用されるＰＭＩまたはアンテナ重みが同一であることを示す。これは、通常、フィードバック・エラーがなく、ｅＮｏｄｅＢがＷＴＲＵのフィードバックをオーバーライドしない場合に発生する。この方式を、表２Ａおよび２Ｂに要約する。ＰＭＩインジケータは、ＰＭＩ＿ＩＮＤによって表される。
【００５９】
【表６】
2014132764.tif 000008
【００６０】
【表７】
2014132764.tif 000009
【００６１】
ＰＭＩインジケータを、１つまたは複数のビームフォーミング行列もしくはベクトル、アンテナ重み、および適用可能なときに任意の他の行列、ベクトル、または重みを示すのに使用することもできる。ＰＭＩ＿ＩＮＤ以外のＰＭＩインジケータの他の表記を使用することもできる。上のＰＭＩ＿ＩＮＤのビット割当は、任意であり、「１」および「０」以外の任意の他の値を、ＰＭＩインジケータに使用することができる。
【００６２】
図３Ａに、もう１つの実施形態によるプレコーディング行列妥当性検査またはアンテナ重み妥当性検査に関するシグナリング方式を示す。この実施形態は、複数ＰＭＩ妥当性検査または検証に関する効率的なシグナリングに関する。この実施形態は、周波数選択性チャネルの場合に関する。たとえば、帯域幅全体について報告されるべき複数のＰＭＩがあるときに、システム帯域幅全体を、複数のサブ・バンド（またはＲＢＧ）およびサブ・バンドごとに報告される１つのＰＭＩに分割することができる。この実施形態では、報告に関するＮ個のＰＭＩがあるものとすることができる。ＷＴＲＵまたは受信器３１１は、ＰＭＩ＿ｊ１、ＰＭＩ＿ｊ２、…、ＰＭＩ＿ｊＮと表されるプレコーディング行列インデックスまたはアンテナ重み情報３１５を、ｅＮｏｄｅＢまたは送信器３１３に送信する。ｅＮｏｄｅＢ  ３１３で現在使用されているプレコーディング行列またはアンテナ重みについてＷＴＲＵ  ３１１に知らせるために、ｅＮｏｄｅＢは、それぞれプレコーディング・フィードバックＰＭＩ＿ｊ１、ＰＭＩ＿ｊ２、…、ＰＭＩ＿ｊＮに対応する、ＰＭＩ＿ｋ１、ＰＭＩ＿ｋ２、…、ＰＭＩ＿ｋＮと表される妥当性検査メッセージ３１７をＷＴＲＵに送り返す。ｅＮｏｄｅＢ  ３１３およびＷＴＲＵ  ３１１が、すべてのサブ・バンドについて同一のプレコーディング行列またはアンテナ重みの同一のセットを使用する（すなわち、ＰＭＩ＿ｊ１＝ＰＭＩ＿ｋ１、ＰＭＩ＿ｊ２＝ＰＭＩ＿ｋ２、…、ＰＭＩ＿ｊＮ＝  ＰＭＩ＿ｋＮ）ときには、ｅＮｏｄｅＢ  ３１３は、すべてのＰＭＩまたはアンテナ重みビットのすべてのセットをＷＴＲＵ  ３１１に送り返すのではなく、ＰＭＩが同一であることを示すＰＭＩインジケータ（１ビット）だけを送信する。フィードバック・エラーは、通常は少なく、設計要件について典型的には１％である。大体の場合に、ｅＮｏｄｅＢ  ３１３およびＷＴＲＵ  ３１１は、同一のプレコーディング行列またはアンテナ重みを使用する。フィードバック・エラーがなく、オーバーライドがない場合には、ｅＮｏｄｅＢまたはＴＸは、ＰＭＩ＿ＩＮＤだけをＷＴＲＵまたはＲＸに送信する。フィードバック・エラーまたはプレコーディング・オーバーライドもしくはランク・オーバーライドの場合には、ｅＮｏｄｅＢまたはＴＸは、ＰＭＩ＿ＩＮＤおよびプレコーディング情報をＷＴＲＵに送信する。周波数選択性プレコーディングが使用されるか否かに応じて、ｅＮｏｄｅＢまたはＴＸは、異なる量のプレコーディング情報をＷＴＲＵに送信する。たとえば、周波数選択性プレコーディングがｅＮｏｄｅＢまたはＴＸで使用される場合に、ｅＮｏｄｅＢまたはＴＸは、ＰＭＩ＿ＩＮＤおよびＰＭＩ＿ｋ１、ＰＭＩ＿ｋ２、…、ＰＭＩ＿ｋＮをＷＴＲＵまたはＲＸに送信し、ここで、ＰＭＩ＿ｋ１、ＰＭＩ＿ｋ２、…、ＰＭＩ＿ｋＮは、Ｎ個のサブ・バンドまたはＲＢＧのＮ個のプレコーディング行列を表す。非周波数選択性プレコーディングがｅＮｏｄｅＢまたはＴＸで使用される場合に、ｅＮｏｄｅＢまたはＴＸは、ＰＭＩ＿ＩＮＤおよび単一のプレコーディング情報、たとえばＰＭＩ＿ｍを送信し、ここで、ＰＭＩ＿ｍは、すべてのサブ・バンドまたはＲＢＧに使用されるプレコーディング行列である。すなわち、同一のプレコーディング行列が、すべてのサブ・バンドまたはＲＢＧに使用される。この方式を、それぞれ表３および４に要約する。
【００６３】
【表８】
2014132764.tif 000010
【００６４】
【表９】
2014132764.tif 000011
【００６５】
図３Ｂに、もう１つの実施形態によるプレコーディング行列またはアンテナ重みの妥当性検査のシグナリング方式を示す。この実施形態は、複数のＰＭＩフィードバックと単一のプレコーディング・インジケーション・メッセージを含む妥当性検査メッセージとの効率的なシグナリングに関する。ＷＴＲＵまたは受信器３１１は、ＰＭＩ＿ｊ１、ＰＭＩ＿ｊ２、…、ＰＭＩ＿ｊＮと表される、プレコーディング行列インデックスまたはアンテナ重み情報３１６をｅＮｏｄｅＢまたは送信器３１３に送信する。ｅＮｏｄｅＢ  ３１３で現在使用されているプレコーディング行列またはアンテナ重みについてＷＴＲＵ  ３１１に知らせるために、ｅＮｏｄｅＢは、プレコーディング・フィードバックＰＭＩ＿ｊ１、ＰＭＩ＿ｊ２、…、ＰＭＩ＿ｊＮに応答するＰＭＩ＿ＩＮＤ＋ＰＭＩ＿ｋとして表された妥当性検査メッセージ３１８をＷＴＲＵに送り返す。これは、複数のＰＭＩフィードバックがあり、単一ＰＭＩインジケーション・メッセージを有する妥当性検査メッセージが使用されるときに使用される。
【００６６】
ｅＮｏｄｅＢ  ３１３およびＷＴＲＵ  ３１１が、同一のプレコーディング行列またはアンテナ重みの同一のセットを使用するときに、ｅＮｏｄｅＢ  ３１３は、すべてのＰＭＩまたはアンテナ重みビットのすべてのセットをＷＴＲＵ  ３１１に送り返すのではなく、ＰＭＩが同一であることを示す確認メッセージを送信する。そうでない場合には、ｅＮｏｄｅＢ  ３１３は、ＰＭＩが同一ではないことを示すインジケーション・メッセージをＷＴＲＵ  ３１１に送信する。別々のコーディングが使用される場合に、ＰＭＩ＿ＩＮＤおよびＰＭＩが送信され、ここで、ＰＭＩ＿ＩＮＤは、肯定確認メッセージまたは否定確認メッセージを供給し、ＰＭＩは、インジケーション・メッセージとして働く。この場合に、ＰＭＩ＿ＩＮＤは１ビットであり、ＰＭＩは少なくとも１ビットである。ＰＭＩを含むジョイント・コーディングＰＭＩ＿ＩＮＤが送信される場合には、ＰＭＩ＿ＩＮＤは、肯定または否定の確認メッセージとインジケーション・メッセージとの両方として働く。この場合に、ＰＭＩ＿ＩＮＤは、少なくとも１ビットである。
【００６７】
２つのフィールドを有する妥当性検査メッセージ・フォーマットを、次のように示すことができる。
【００６８】
【表１０】
2014132764.tif 000012
【００６９】
さらに、確認メッセージおよびインジケーション・メッセージのジョイント・コーディングを使用する妥当性検査メッセージについて、単一フィールドを有する妥当性検査メッセージ・フォーマットを、次のように示すことができる。
【００７０】
【表１１】
2014132764.tif 000013
【００７１】
妥当性検査メッセージ・フォーマット２では、単一のＰＭＩ＿ＩＮＤフィールドが、妥当性検査メッセージ・フォーマット１のＰＭＩ＿ＩＮＤおよびＰＭＩの組み合わされた情報を含む。
【００７２】
もう１つの実施態様は、インジケーション・メッセージまたはＰＭＩを送信することではなくデフォルト・プレコーディング・メッセージの使用によるものである。シグナリングは、フィードバック・エラーおよびオーバーライドがない場合に、ｅＮｏｄｅＢすなわちＴＸがＰＭＩ＿ＩＮＤ（肯定確認メッセージ）をＷＴＲＵまたはＲＸに送信し、ＰＭＩ＿ＩＮＤが、ｅＮｏｄｅＢがＷＴＲＵからフィードバックされたものと同一のプレコーディング情報を使用することを確認するといった、別の形で行うことができる。フィードバック・エラーまたはＰＭＩオーバーライドの場合には、ｅＮｏｄｅＢまたはＴＸは、ＰＭＩ＿ＩＮＤ（否定確認メッセージ）をＷＴＲＵに送信し、ここで、ＰＭＩ＿ＩＮＤは、デフォルトまたは事前に決定されたプレコーディング・インジケーション・メッセージまたは情報を使用するようにＷＴＲＵに知らせる。したがって、確認メッセージを含むＰＭＩ＿ＩＮＤだけが送信され、一方、インジケーション・メッセージまたはＰＭＩ（１つまたは複数）は、どの場合にも送信されない。この方式を、表５に要約する。
【００７３】
【表１２】
2014132764.tif 000014
【００７４】
ＰＭＩインジケータを使用して、１つまたは複数のビームフォーミング行列またはベクトル、アンテナ重み、および適用可能なときに任意の他の行列、ベクトル、または重みを示すこともできる。ＰＭＩ＿ＩＮＤ以外のＰＭＩインジケータの他の表記を使用することもできる。肯定および否定としてのＰＭＩ＿ＩＮＤの確認状態は、任意であり、肯定および否定以外の任意の他の値を、ＰＭＩインジケータについて使用することができる。
【００７５】
前に説明したように、ＰＭＩ妥当性検査または検証に関するシグナリング・オーバーヘッドは、ＰＭＩ妥当性検査メッセージが送信されるたびに、複数ＲＢＧおよび複数ＰＭＩの場合に、妥当性検査シグナリングあたり２５０ビットまでまたはそれより多数を必要とする可能性がある。したがって、説明されたプレコーディング確認メッセージを使用するシグナリング方式は、かなりの量のシグナリング・オーバーヘッドを節約する。
【００７６】
もう１つの実施形態によるダウンリンクＰＭＩインジケータ・シグナリング方式は、次のように要約される。ＰＭＩ＿ＩＮＤ（ＰＭＩまたはアンテナ重みインジケータ）が１でセットされているときに、これは、否定確認メッセージを示し、ｅＮｏｄｅＢ  ３１３およびＷＴＲＵ  ３１１で使用される複数のＰＭＩのうちの少なくとも１つが同一ではないことを示す。これは、通常は、フィードバック・エラーの場合またはｅＮｏｄｅＢ  ３１３がＷＴＲＵ  ３１１のフィードバックをオーバーライドするときに発生する。すべてのＰＭＩが、図４に示されているようにＰＭＩ＿ＩＮＤ（１ビット）に続いて送信される。図４では、最初の要素は、ＰＭＩ＿ＩＮＤ  ４１１であり、これに個々のＰＭＩ  ４１３（ａ）から４１３（ｎ）が続く。
【００７７】
ＰＭＩ＿ＩＮＤ（ＰＭＩまたはアンテナ重みインジケータ）が０でセットされているときに、これは、肯定確認メッセージを示し、ｅＮｏｄｅＢ  ３１３およびＷＴＲＵ  ３１１で使用されるＰＭＩのすべてが同一であることを示す。これは、通常、フィードバック・エラーがなく、ｅＮｏｄｅＢ  ３１３がＷＴＲＵ  ３１１のフィードバックをオーバーライドしない場合に発生する。ＰＭＩが送信されるのではなく、ＰＭＩ＿ＩＮＤ（１ビット）４１１だけが送信される。
【００７８】
もう１つの実施形態によれば、ＰＭＩは、グループ、たとえばＧ個のグループに区分される。図５に示されているように、各グループは、プレコーディング行列またはアンテナ重みがｅＮｏｄｅＢ  ３１３およびＷＴＲＵ  ３１１について同一であるかどうかを示すために１ビットを有する。そのようなシグナリングは、１つのインジケータ・シグナリング内のＱビットまたはそれぞれが１ビットを有するＱ個のＰＭＩインジケータのいずれかを有するように実施することができる。ＰＭＩインジケータＰＭＩ＿ＩＮＤ（１）５１１、ＰＭＩ＿ＩＮＤ（２）５１３、…、およびＰＭＩ＿ＩＮＤ（Ｇ）５１ｇを、図５に示されているように妥当性検査メッセージにまたがって分散させることができる。
【００７９】
グループ化の代替モードを図６に見ることができ、ここで、ＰＭＩインジケータ（６１１、６１３、および６１ｇ）ＰＭＩ＿ＩＮＤ（１）、ＰＭＩ＿ＩＮＤ（２）、…、およびＰＭＩ＿ＩＮＤ（Ｇ）を、図６に示されているように妥当性検査メッセージの前部分内でグループ化することができる。
【００８０】
グループＰＭＩに関するＰＭＩインジケータ（ＰＭＩ＿ＩＮＤ（ｇ）、ｇ＝１、２、…、Ｇ）によるシグナリング機構は、次のように要約される。ＷＴＲＵのグループのＰＭＩ＿ＩＮＤ（ＰＭＩまたはアンテナ重みのインジケータ）が１でセットされているときに、これは、否定確認メッセージを示し、ｅＮｏｄｅＢ  ３１３およびＷＴＲＵ  ３１１で使用される、そのグループに属するＰＭＩのうちの少なくとも１つが同一ではないことを示す。これは、通常、フィードバック・エラーの場合またはｅＮｏｄｅＢがそのＰＭＩグループについてＷＴＲＵのフィードバックをオーバーライドする場合に発生する。ＰＭＩ＿ＩＮＤ（ｇ）＝‘１’すなわち第ｇグループの否定確認メッセージの場合には、第ｇグループに属するすべてのＰＭＩが、‘１’にセットされたＰＭＩ＿ＩＮＤ（ｇ）に続いて送信される。たとえば、図５では、ＰＭＩ＿１、ＰＭＩ＿２、およびＰＭＩ＿３のうちのいずれかがｅＮｏｄｅＢおよびＷＴＲＵについて同一ではない場合に、ＰＭＩ＿ＩＮＤ（１）とＰＭＩ＿１、ＰＭＩ＿２、およびＰＭＩ＿３とがｅＮｏｄｅＢによって送信される。
【００８１】
ＷＴＲＵのグループのＰＭＩ＿ＩＮＤすなわちＰＭＩまたはアンテナ重みのインジケータが０でセットされているときには、これは、肯定確認メッセージを示し、ｅＮｏｄｅＢおよびＷＴＲＵで使用される、そのグループに属するすべてのＰＭＩが同一であることを示す。これは、通常、フィードバック・エラーがないか、ｅＮｏｄｅＢがＷＴＲＵのフィードバックをオーバーライドしない場合に発生する。ＰＭＩ＿ＩＮＤ（ｇ）＝‘０’すなわち第ｇグループの肯定確認メッセージの場合には、第ｇグループに属するＰＭＩが送信されるのではなく、第ｇグループのＰＭＩインジケータだけが送信される。送信されるＰＭＩ＿ＩＮＤ（ｇ）は、‘０’にセットされる。たとえば、図５では、ＰＭＩ＿４、ＰＭＩ＿５、およびＰＭＩ＿６のすべてがｅＮｏｄｅＢおよびＷＴＲＵについて同一である場合に、１ビットのＰＭＩ＿ＩＮＤ（２）だけがｅＮｏｄｅＢによって送信される。代替案では、送信されないＰＭＩのために予約されたフィールドを、他の情報またはデータを送信するのに使用することができる。これは、情報またはデータのスループットおよびスペクトル効率を高める。たとえば、ＰＭＩ＿４、ＰＭＩ＿５、およびＰＭＩ＿６のために予約されたフィールドを、他の情報またはデータを送信するのに使用することができる。
【００８２】
グループＰＭＩインジケータ・シグナリングに関する特殊なケースは、各グループが１つのＰＭＩのみを有する、すなわちＧ＝Ｎのときである。この実施態様では、各グループは、正確に１つのＰＭＩを有する。この方式を、図７に示す。グループ（Ｇ）内での増加は、同一ではない少数のＰＭＩだけがシグナリングされる必要があるので、シグナリング効率を高めることができる。
【００８３】
一般に、ＰＭＩ＿ＩＮＤは、ビットシーケンスからなるメッセージまたは状態を表すことができる。たとえば、ＰＭＩ＿ＩＮＤは、プレコーディング確認メッセージまたは状態、プレコーディング情報メッセージ１または状態１、プレコーディング情報メッセージ２または状態２、…などを表すことができる。この方式を、表６Ａに要約する。オーバーライド方式の場合の類似する方式を、表６Ｂに示す。
【００８４】
【表１３】
2014132764.tif 000015
【００８５】
【表１４】
2014132764.tif 000016
【００８６】
一例として、上の方式を使用するコードブック（１）は、ランク１の４つのプレコーディングベクトルおよびランク２の２つのプレコーディング行列を有する。表７に示されたコードブック（１）には、合計６つのプレコーディング行列／ベクトルがある。
【００８７】
【表１５】
2014132764.tif 000017
【００８８】
ランクが合同で示されるときのコードブック１に対する対応するＰＭＩ確認およびインジケーション方式を、表８Ａに見ることができる。
【００８９】
【表１６】
2014132764.tif 000018
【００９０】
ランクが合同で示され、ランク・オーバーライドが示されるときの上の方式を使用するコードブック（１）に関するもう１つの方式すなわち、ランク１に関する対応するＰＭＩ確認およびインジケーション方式を、表８Ｂに見ることができる。
【００９１】
【表１７】
2014132764.tif 000019
【００９２】
表９で使用されるＰＭＩ＿ＩＮＤ＝１１１は、ｅＮｏｄｅＢが、より高いランクのプレコーディング行列のプレコーディング行列サブセットを使用するようにＷＴＲＵに知らせることを示す。たとえば、ランク２のプレコーディング行列は、２つの列ベクトル（column vector）からなり、ランク１のプレコーディング行列は、プレコーディングベクトルである。ランク情報がランク２からランク１にオーバーライドされるときには、ランク２行列の第１列ベクトルまたは第２列ベクトルのいずれかを使用しなければならないことを示すことができる。
【００９３】
ランクが別々に示されるときの上の方式を使用するコードブック（１）のもう１つの方式すなわち、ランク１の対応するＰＭＩ確認およびインジケーション方式テーブルを、表９Ａに示されたものとすることができる。
【００９４】
【表１８】
2014132764.tif 000020
【００９５】
コードブック（１）に対応するランク２について、ランクが別々に示されるときのＰＭＩ確認およびインジケーション方式テーブルを、表９Ｂに示されたものとすることができる。
【００９６】
【表１９】
2014132764.tif 000021
【００９７】
一例として、コードブック（２）は、ランク１の１６個のプレコーディングベクトルならびにランク２、３、および４の１６個のプレコーディング行列を有する。コードブック２には、表１０に示されているように合計６４個のプレコーディング行列／ベクトルがある。ランク１のプレコーディング行列は、列ベクトルである。ランク１のプレコーディング行列は、Ｃ１〜Ｃ１６である。ランク２のプレコーディング行列は、２つの列ベクトルからなる行列であり、ランク２のプレコーディング行列は、Ｃ１７〜Ｃ３２である。ランク３のプレコーディング行列は、３つの列ベクトルからなる行列であり、ランク３のプレコーディング行列は、Ｃ３３〜Ｃ４８である。ランク４のプレコーディング行列は、４つの列ベクトルからなる行列であり、ランク４のプレコーディング行列は、Ｃ４９〜Ｃ６４である。より低いランクのプレコーディング行列は、より高いランクのプレコーディング行列のサブセットである。たとえば、Ｃ１は、Ｃ１７のサブセットであり、このＣ１７は、Ｃ３３のサブセットであり、このＣ３３は、Ｃ４９のサブセットである。
【００９８】
【表２０】
2014132764.tif 000022
【００９９】
コードブック（２）のＰＭＩ確認およびインジケーション方式の対応するテーブルを、表１１Ａに示されたものとすることができる。
【０１００】
【表２１】
2014132764.tif 000023
【０１０１】
コードブック（２）のランク・オーバーライドを伴うＰＭＩ確認およびインジケーション方式の対応するテーブルを、表１１Ｂに示されたものとすることができる。
【０１０２】
【表２２】
2014132764.tif 000024
【０１０３】
シグナリング・オーバーヘッドを節約するために、プレコーディング行列のうちの１つを、コードブック（２）から除去することができる。一例として、Ｃ６４または他の行列のうちの１つが除去される場合には、この方式は、表１１Ｃに示された方式に縮小される。
【０１０４】
【表２３】
2014132764.tif 000025
【０１０５】
各グループが、１つのＰＭＩ（ＰＭＩまたはアンテナ重みのインジケータ）だけを有し、ＰＭＩ＿ＩＮＤが（ｎ）＝１でセットされるときに、これは、ｅＮｏｄｅＢおよびＷＴＲＵで使用される第ｎ  ＰＭＩが同一ではないことを示す。これは、通常、フィードバック・エラーの場合またはｅＮｏｄｅＢがＷＴＲＵのフィードバックをオーバーライドする場合に発生する。第ｎ  ＰＭＩが送信される。たとえば、図８では、ＰＭＩ＿ｎがｅＮｏｄｅＢおよびＷＴＲＵについて同一ではない場合に、ＰＭＩ＿ＩＮＤ（ｎ）およびＰＭＩ＿ｎが、ｅＮｏｄｅＢによって送信される。これは、シグナリング効率を高める。
【０１０６】
各グループが、１つのＰＭＩすなわちＰＭＩまたはアンテナ重みのインジケータだけを有し、ＰＭＩ＿ＩＮＤがｎ＝０でセットされるときに、これは、ｅＮｏｄｅＢおよびＷＴＲＵで使用される第ｎ  ＰＭＩが同一であることを示す。これは、通常、フィードバック・エラーがなく、ｅＮｏｄｅＢがＷＴＲＵのフィードバックをオーバーライドしない場合に発生する。第ｎ  ＰＭＩが送信されるのではなく、第ｎ  ＰＭＩのＰＭＩ＿ＩＮＤすなわちＰＭＩ＿ＩＮＤ（ｎ）だけが送信される。たとえば、図８では、ＰＭＩ＿ｎがｅＮｏｄｅＢおよびＷＴＲＵについて同一である場合に、１ビットのＰＭＩ＿ＩＮＤ（ｎ）だけが、ｅＮｏｄｅＢによって送信される。
【０１０７】
ＰＭＩインジケータを、既存の制御シグナリングと一緒に、これにアタッチして（attach）、またはこれに埋め込んで（embed）、送信することができる。図９に、ＰＭＩ妥当性検査シグナリングが制御シグナリングにアタッチされることを示す。図１０に、ＰＭＩ妥当性検査シグナリングが制御シグナリングに挿入されることを示す。その代わりに、ＰＭＩインジケータを、別々のシグナリングまたはスタンド・アローン・シグナリングを使用して送信することができる。
【０１０８】
ＰＭＩ妥当性検査メッセージを、制御シグナリングまたは専用基準信号（ＲＳ）を介してＷＴＲＵにシグナリングすることができる。その代わりに、妥当性検査メッセージの一部を、制御シグナリングを介して送信し、妥当性検査メッセージの一部を、専用基準信号を介して送信することができる。たとえば、プレコーディング確認部分を、制御シグナリングを介して送信することができ、プレコーディング・インジケーション部分を、専用基準信号を介して送信することができる。ＰＭＩインジケータ・シグナリングを、制御シグナリングまたは専用基準信号に適用することと、制御シグナリング・オーバーヘッドまたは専用ＲＳオーバーヘッドの量を減らすのに使用することとの両方が可能である。専用基準信号が、ＰＭＩ妥当性検査メッセージを送信するのに使用されるときには、プレコーディングされたパイロットなど、専用基準信号の複数の形を使用することができる。専用ＲＳを減らすためのＰＭＩインジケータの使用は、次のように説明される。
【０１０９】
専用基準信号用の新しいダウンリンクＰＭＩインジケータ・シグナリング
【０１１０】
ＰＭＩ＿ＩＮＤが１にセットされている（否定確認メッセージ）ときに、これは、ｅＮｏｄｅＢおよびＷＴＲＵで使用されるＰＭＩ複数のうちの少なくとも１つが同一ではないことを示す。これは、通常、フィードバック・エラーの場合またはｅＮｏｄｅＢがＷＴＲＵのフィードバックをオーバーライドする場合に発生する。ＰＭＩを運ぶすべての専用基準信号が、ｅＮｏｄｅＢによって送信される。ＰＭＩ＿ＩＮＤは、‘１’にセットされ、やはりｅＮｏｄｅＢによって送信される。
【０１１１】
ＰＭＩ＿ＩＮＤが０にセットされている（肯定確認メッセージ）ときに、これは、ｅＮｏｄｅＢおよびＷＴＲＵで使用されるＰＭＩ（複数）のすべてが同一であることを示す。これは、通常、フィードバック・エラーがなく、ｅＮｏｄｅＢがＷＴＲＵのフィードバックをオーバーライドしない場合に発生する。ＰＭＩを運ぶすべての専用基準信号がｅＮｏｄｅＢによって送信されるのではなく、‘０’にセットされた１ビットのＰＭＩ＿ＩＮＤだけが、ｅＮｏｄｅＢによって送信される。
【０１１２】
大体の場合に、ｅＮｏｄｅＢおよびＷＴＲＵで使用されるＰＭＩ複数のすべてが同一であり、専用基準信号が送信されるのではなく、‘０’にセットされたＰＭＩ＿ＩＮＤ１ビットだけがｅＮｏｄｅＢによって送信される。したがって、このシグナリング方式も、専用基準信号のオーバーヘッドを大幅に減らす。
【０１１３】
本発明によるＰＭＩインジケータ・シグナリングを、減らされたシグナリング・オーバーヘッドのために、単一ユーザＳＵ  ＭＩＭＯとマルチユーザＭＵ  ＭＩＭＯとの両方に適用することができる。ＳＵ−ＭＩＭＯでは、１つのＷＴＲＵに関するＰＭＩインジケータだけが、サブ・バンドまたは周波数および時間リソース内でｅＮｏｄｅＢによって送信される。ＭＵ−ＭＩＭＯでは、同一サブ・バンドまたは同一の周波数および時間リソースを共有する複数のＷＴＲＵに関する複数のＰＭＩインジケータが、ｅＮｏｄｅＢによって送信される。したがって、これは、ＳＵ−ＭＩＭＯからの単純な拡張である。
【０１１４】
ＭＵ−ＭＩＭＯでは、Ｋ個のＷＴＲＵが存在すると仮定される。ｅＮｏｄｅＢは、複数のＰＭＩ妥当性検査シグナリングを送信し、そのそれぞれは、各ＷＴＲＵすなわちＷＴＲＵ  １、ＷＴＲＵ  ２、…、ＷＴＲＵ  Ｋの１つまたは複数のＰＭＩを有する。ｅＮｏｄｅＢは、複数のＰＭＩインジケータをＷＴＲＵに送信する。各ＷＴＲＵは、図４に示されているようにグループＰＭＩが使用されない場合には１つのＰＭＩインジケータを、図５および６または７および８に示されているようにグループＰＭＩがそのＷＴＲＵについて使用される場合には複数のＰＭＩインジケータを受信する。
【０１１５】
ＰＭＩがｅＮｏｄｅＢおよび第ｋ  ＷＴＲＵで同一である場合には、ｅＮｏｄｅＢは、１ビットのＰＭＩインジケータを第ｋ  ＷＴＲＵに送信する。ＰＭＩがｅＮｏｄｅＢおよび第ｋ  ＷＴＲＵについて同一ではない場合には、ｅＮｏｄｅＢは、ＰＭＩ＿ＩＮＤ(k)によって表されるＰＭＩインジケータと、第ｋ  ＷＴＲＵの、ＰＭＩ(k)によって表されるＰＭＩとを第ｋ  ＷＴＲＵに送信する。
【０１１６】
たとえば、ＰＭＩがｅＮｏｄｅＢおよび第１  ＷＴＲＵについて同一ではないが、他のすべてのＷＴＲＵについて同一である場合には、１ビットのＰＭＩ＿ＩＮＤ(1)およびＰＭＩ(1)が、ｅＮｏｄｅＢによって第１  ＷＴＲＵに送信され、ｋ＝２、３、…、Ｋの１ビットのＰＭＩ＿ＩＮＤ(k)が、ｅＮｏｄｅＢによって他のすべてのＷＴＲＵに送信される。その代わりに、ＭＵ−ＭＩＭＯでは、ｅＮｏｄｅＢは、ＷＴＲＵの１つのグループについて、それぞれ複数のＰＭＩインジケータを送信する。ｅＮｏｄｅＢは、すべてのＷＴＲＵについて１つのＰＭＩインジケータを送信することもできる。ＭＵ−ＭＩＭＯについて、プレコーディングの方式および使用法を、前に説明したように一般化することができる。
【０１１７】
同一のＲＢまたはＲＢＧ内で同時にサポートされる２つのユーザについて、ユーザあたり１つのストリームがある、すなわち、各ＷＴＲＵがそれ自体に関するランク１送信を見ると仮定する。さらに、ビームフォーミング・コードブック内に８つのビームフォーミング・ベクトルＣ１、Ｃ２、…、Ｃ８があると仮定する。表１２は、この方式を説明するものであり、ＰＭＩ＿ＩＮＤ＝０（肯定確認メッセージ）の場合には、これは、ＷＴＲＵのフィードバックがｅＮｏｄｅＢで使用される（Ｃdesired）ことをｅＮｏｄｅＢが確認することを示す。３ビットのＰＭＩは、他のユーザの７つの可能な干渉するビームフォーミング・ベクトルすなわちＣj、ｊ＝１、２、…、８かつＣj≠Ｃdesiredを示す。１つのビット組合せ（１１１）は、予約済みである。ＰＭＩ＿ＩＮＤ＝１の場合には、これは、ｅＮｏｄｅＢがＷＴＲＵのフィードバックを使用せず、異なるビームフォーミング・ベクトルが使用されることを示す。３ビットのＰＭＩは、所望のユーザに関する８つの可能なビームフォーミング・ベクトル（Ｃj、ｊ＝１、２、…、８）を示す。シグナリング・オーバーヘッドが増えることが許可されない限り、干渉するビームフォーミング・ベクトルに関する別々の表示はない。
【０１１８】
【表２４】
2014132764.tif 000026
【０１１９】
もう１つのオプションは、ＰＭＩ＿ＩＮＤが１（否定確認メッセージ）であるときに所望のユーザについてデフォルト・ビームフォーミング・ベクトルを使用することであり、ＰＭＩ＿ＩＮＤ＝０の場合に類似する７つの可能な干渉するベクトルを示すのに３ビットのＰＭＩを使用する。
【０１２０】
同様に、４ユーザＭＵ−ＭＩＭＯおよびユーザあたりランク１について、方式を表１３に記述する。
【０１２１】
【表２５】
2014132764.tif 000027
【０１２２】
ある種の制約が課せられる場合には、ベクトル組合せの個数を減らすことができ、したがって、ビット数を減らすことができる。たとえば、ルールが制限する場合に、ある種の組合せだけが許容され、たとえば、Ｃ1、Ｃ2、Ｃ3、Ｃ4をグループとして一緒に組み合わせることができ、Ｃ5、Ｃ6、Ｃ7、Ｃ8をグループとして一緒に組み合わせることができ、グループＣ1、Ｃ2、Ｃ3、Ｃ4をグループＣ5、Ｃ6、Ｃ7、Ｃ8と組み合わせることができない。たとえば、Ｃ１をＣ２、Ｃ３、またはＣ４と組み合わせることはできるが、Ｃ５、Ｃ６、Ｃ７、またはＣ８と組み合わせることはできない。組合せ制約要件を、ユニタリ・プロパティ（unitary property）またはユニタリ・ビームフォーミング要件を満足するためのルールとすることができる。
【０１２３】
例として、Ｃ１が所望のユーザに関するビームフォーミング・ベクトルであり、制約ルールが使用されると仮定する。ベクトル組合せを、７つの組合せに減らすことができる。２ユーザについて、組合せ［Ｃ１、Ｃ２］、［Ｃ１、Ｃ３］、および［Ｃ１、Ｃ４］だけが許容される。３ユーザについて、［Ｃ１、Ｃ２、Ｃ３］、［Ｃ１、Ｃ２、Ｃ４］、および［Ｃ１、Ｃ３、Ｃ４］だけが許容される。４ユーザについて、［Ｃ１、Ｃ２、Ｃ３、Ｃ４］だけが許容される。表１４に、制約を伴うこの特定の方式を要約する。
【０１２４】
【表２６】
2014132764.tif 000028
【０１２５】
類似するテーブルを、所望のユーザについて使用されるＣ１とは異なるビームフォーミング・ベクトルについて作成することができる。ＰＭＩ確認およびインジケーション・メッセージを、合同でコーディングすることができ、対応するＰＭＩ確認およびインジケーション方式を、次とすることができる。すなわち、ＰＭＩ＿ＩＮＤ＝０００の場合には、ＷＴＲＵのフィードバックを確認する。ＰＭＩ＿ＩＮＤ＝００１の場合には、Ｃ２が干渉するビームフォーミング・ベクトルであることをＷＴＲＵに知らせる。ＰＭＩ＿ＩＮＤ＝０１０の場合には、Ｃ３が干渉するビームフォーミング・ベクトルであることなどをＷＴＲＵに知らせるなど、表１６に示されているとおりである。ＰＭＩ＿ＩＮＤ＝１１１の場合には、Ｃ２、Ｃ３、およびＣ４が干渉するビームフォーミング・ベクトルであることをＷＴＲＵに知らせる。これを、次の表に示す。
【０１２６】
【表２７】
2014132764.tif 000029
【０１２７】
もう１つの代替案は、確認メッセージとしてＰＭＩ＿ＩＮＤ＝０００、インジケーション・メッセージとしてＰＭＩ＿ＩＮＤ＝００１〜１１１を有して、７つの可能な所望のベクトルを示すことである。７つのベクトルまたは行列は、Ｃ１〜Ｃ８から選択され、または事前に選択される。類似するテーブルを、所望のユーザについて使用されるＣ１とは異なるビームフォーミング・ベクトルについて作成することができる。
【０１２８】
ジョイント・コーディングを、異なる設計および目的に関するランク情報を含んでも含まなくてもよいプレコーディング確認メッセージ、プレコーディング情報、またはインジケーション・メッセージについて実行することができる。さらに、ジョイント・コーディングを、ランク・オーバーライド・メッセージ、フィードバック・エラー・メッセージ、または他のＭＩＭＯ関連情報およびメッセージについて実行することもできる。
【０１２９】
図１１に、説明した実施形態を実施する複数のｅＮｏｄｅＢ  １１１３を有する無線通信システムを示す。各ｅＮｏｄｅＢ  １１１３は、一般にセルと称する、理想化された六角形として図示された特定の地理的区域に通信カバレッジを提供する。用語「セル」は、この用語が使用される文脈に依存して、そのカバレッジ区域に言及することができる。システム容量を改善するために、ｅＮｏｄｅ  Ｂカバレッジ区域を、複数のより小さい区域、たとえば３つのより小さい区域に区分することができる。ＷＴＲＵ  １１１１は、カバレッジ区域全体にわたって散在してもよい。
【０１３０】
実施形態
１．妥当性検査メッセージの形のプレコーディング確認およびプレコーディング情報またはインジケーションを使用することによって、ｍｕｌｔｉｐｌｅ−ｉｎｐｕｔ  ｍｕｌｔｉｐｌｅ−ｏｕｔｐｕｔ  ＭＩＭＯ無線通信において無線送受信ユニット（ＷＴＲＵ）のシグナリング・オーバーヘッドを減らす方法であって、
ｅｖｏｌｖｅｄ  ＮｏｄｅＢ（ｅＮｏｄｅＢ）で使用されるプレコーディング情報の種類を示すために妥当性検査メッセージを使用するステップであって、妥当性検査メッセージは、少なくとも１ビットからなる、使用するステップを含み、
妥当性検査メッセージは、プレコーディング確認メッセージおよびインジケーション・メッセージを提供し、妥当性検査メッセージは、別々のコーディングを使用する１つの確認メッセージおよび１つのインジケーション・メッセージからなるものとすることができ、
妥当性検査メッセージは、ジョイント・コーディングを使用する確認、情報、オーバーライド、またはエラー・メッセージを示す単一のメッセージとすることもでき、
インジケーション・メッセージは、プレコーディング情報インジケーション・メッセージ、ランク・オーバーライド・メッセージ、フィードバック・エラー・メッセージ、または組合せとすることができ、単一ユーザＳＵ−ＭＩＭＯのプレコーディング情報を示すことができ、複数ユーザＭＵ−ＭＩＭＯに関する所望のプレコーディング情報、干渉するプレコーディング情報、またはその両方を示すこともできる
ことを特徴とする方法。
【０１３１】
２．プレコーディング情報は、プレコーディング行列、ランク、他のプレコーディング関連情報、またはすべての組合せをも含むことができることを特徴とする実施形態１に記載の方法。
【０１３２】
３．妥当性検査メッセージは、確認メッセージおよびインジケーション・メッセージ、フィードバック・エラー・メッセージ、ならびにオーバーライド・エラー・メッセージのうちの少なくとも２つからなることを特徴とする実施形態１に記載の方法。
【０１３３】
４．プレコーディング確認およびインジケーション・メッセージ（妥当性検査メッセージ）は、別々に符号化されまたは合同で符号化され得ることを特徴とする実施形態１に記載の方法。
【０１３４】
５．妥当性検査メッセージが別々にコーディングまたは符号化されるときに、妥当性検査メッセージ自体は、２つの部分すなわち確認部分およびインジケーション部分からなることを特徴とする実施形態１に記載の方法。
【０１３５】
６．確認部分は、肯定確認メッセージまたは否定確認メッセージを運ぶために１ビットまたは複数のビットを使用することを特徴とする実施形態５に記載の方法。
【０１３６】
７．肯定確認メッセージは、ｅＮｏｄｅＢで使用されるプレコーディング情報がＷＴＲＵからフィードバックされたプレコーディング情報と正確に同一であることをＷＴＲＵに知らせるのに使用されることを特徴とする実施形態６に記載の方法。
【０１３７】
８．否定確認メッセージは、ｅＮｏｄｅＢで使用されるプレコーディング情報がＷＴＲＵからフィードバックされたプレコーディング情報と同一ではないことをＷＴＲＵに知らせるのに使用されることを特徴とする実施形態６に記載の方法。
【０１３８】
９．インジケーション部分は、複数のインジケーション・メッセージを運ぶために少なくとも１ビットを使用することを特徴とする実施形態６に記載の方法。
【０１３９】
１０．インジケーション部分は、異なるプレコーディング情報がｅＮｏｄｅＢで使用されつつあることをＷＴＲＵに示すことを特徴とする実施形態６に記載の方法。
【０１４０】
１１．妥当性検査メッセージが合同でコーディングまたは符号化されるときに、妥当性検査メッセージは、確認部分およびインジケーション部分を組み合わせることを特徴とする実施形態３に記載の方法。
【０１４１】
１２．プレコーディング確認およびプレコーディング情報またはインジケーションを使用することによってｍｕｌｔｉｐｌｅ−ｉｎｐｕｔ  ｍｕｌｔｉｐｌｅ−ｏｕｔｐｕｔ  ＭＩＭＯ無線通信において無線送受信ユニット（ＷＴＲＵ）のシグナリング・オーバーヘッドを減らす方法であって、
アンテナ重みおよびビームフォーミング重みを含むプレコーディング行列インデックス（ＰＭＩ）をｅｖｏｌｖｅｄ  Ｎｏｄｅ−Ｂ（ｅＮｏｄｅＢ）に送信するステップと、
そのアンテナ重みに関する情報を含むＰＭＩインジケータとしてｅＮｏｄｅＢから妥当性検査メッセージを受信するステップと
を含むことを特徴とする方法。
【０１４２】
１３．妥当性検査メッセージの一部は、専用基準信号を介してＷＴＲＵに送信され、妥当性検査メッセージの一部は、制御シグナリング方式を介してＷＴＲＵに送信されることを特徴とする実施形態１２に記載の方法。
【０１４３】
１４．ｅＮｏｄｅＢは、ＷＴＲＵのＰＭＩおよびｅＮｏｄｅＢのＰＭＩが同一であるときにプレコーディング確認メッセージまたはＰＭＩインジケータのみを送信することを特徴とする実施形態１２に記載の方法。
【０１４４】
１５．ｅＮｏｄｅＢは、ＷＴＲＵのＰＭＩおよびｅＮｏｄｅＢのＰＭＩが同一ではないとき、またはＷＴＲＵのＰＭＩがｅＮｏｄｅＢのＰＭＩによってオーバーライドされるとき、またはフィードバック・エラーが発生するときに、そのＰＭＩと共にＰＭＩインジケータをＷＴＲＵに送信することを特徴とする実施形態１２に記載の方法。
【０１４５】
１６．ＰＭＩインジケータ・サイズは、１ビットまたは複数ビットであり、状態確認を表すことができ、設計選択に依存してすべての任意の値とすることができることを特徴とする実施形態１２に記載の方法。
【０１４６】
１７．プレコーディング確認およびプレコーディング情報またはインジケーションを使用することによってｍｕｌｔｉｐｌｅ−ｉｎｐｕｔ  ｍｕｌｔｉｐｌｅ−ｏｕｔｐｕｔ  ＭＩＭＯ無線通信において無線送受信ユニット（ＷＴＲＵ）のシグナリング・オーバーヘッドを減らす方法であって、
アンテナ重みおよびビームフォーミング重みを含む複数のプレコーディング行列インデックス（ＰＭＩ）をｅＮｏｄｅ  Ｂに送信するステップと、
そのアンテナ重みに関する情報を含むＰＭＩごとの個々のＰＭＩインジケータとしてｅＮｏｄｅ  Ｂから妥当性検査メッセージを受信するステップと
を含むことを特徴とする方法。
【０１４７】
１８．妥当性検査メッセージの一部は、専用基準信号を介してＷＴＲＵに送信され、妥当性検査メッセージの一部は、制御シグナリング方式を介してＷＴＲＵに送信されることを特徴とする実施形態１２に記載の方法。
【０１４８】
１９．ｅＮｏｄｅＢは、ＷＴＲＵのＰＭＩおよびｅＮｏｄｅＢのＰＭＩが同一であるときにＰＭＩインジケータのみを送信することを特徴とする実施形態１７に記載の方法。
【０１４９】
２０．Ｎｏｄｅ−Ｂは、ＷＴＲＵのＰＭＩのうちの少なくとも１つおよびｅＮｏｄｅＢのＰＭＩのうちの少なくとも１つが同一ではないとき、またはＷＴＲＵのＰＭＩがｅＮｏｄｅＢのＰＭＩによってオーバーライドされるとき、またはフィードバック・エラーが発生するときに、そのＰＭＩと共にＰＭＩインジケータをＷＴＲＵに送信することを特徴とする実施形態１７に記載の方法。
【０１５０】
２１．ＰＭＩインジケータ・サイズは、１ビットまたは複数ビットであり、状態確認を表すことができ、設計選択に依存してすべての任意の値とすることができることを特徴とする実施形態１７に記載の方法。
【０１５１】
２２．プレコーディング確認およびプレコーディング情報またはインジケーションを使用することによってｍｕｌｔｉｐｌｅ−ｉｎｐｕｔ  ｍｕｌｔｉｐｌｅ−ｏｕｔｐｕｔ  ＭＩＭＯ無線通信において無線送受信ユニット（ＷＴＲＵ）のシグナリング・オーバーヘッドを減らす方法であって、
アンテナ重みおよびビームフォーミング重みを含むグループに分離される複数のプレコーディング行列インデックスＰＭＩをｅＮｏｄｅＢに送信するステップと、
そのアンテナ重みに関する情報を含むＰＭＩのグループごとの個々のＰＭＩインジケータとしてｅＮｏｄｅ  Ｂから妥当性検査メッセージを受信するステップと
を含むことを特徴とする方法。
【０１５２】
２３．妥当性検査メッセージの一部は、専用基準信号を介してＷＴＲＵに送信され、妥当性検査メッセージの一部は、制御シグナリング方式を介してＷＴＲＵに送信されることを特徴とする実施形態２２に記載の方法。
【０１５３】
２４．ｅＮｏｄｅＢは、ＷＴＲＵのＰＭＩおよびｅＮｏｄｅＢのグループのＰＭＩが同一であるときにすべてのグループのＰＭＩインジケータを含むＰＭＩインジケータのみを送信することを特徴とする実施形態２２に記載の方法。
【０１５４】
２５．ｅＮｏｄｅＢは、ＷＴＲＵのグループのＰＭＩのうちの少なくとも１つおよびｅＮｏｄｅＢのグループのＰＭＩのうちの少なくとも１つが同一ではないとき、またはＷＴＲＵのＰＭＩがｅＮｏｄｅＢのＰＭＩによってオーバーライドされるとき、またはフィードバック・エラーが発生するときに、そのＰＭＩと共にＰＭＩインジケータをＷＴＲＵに送信することを特徴とする実施形態２２に記載の方法。
【０１５５】
２６．ＰＭＩインジケータの各グループまたは各ＰＭＩインジケータは、アンテナ重みがｅＮｏｄｅＢおよびＷＴＲＵについて同一であるかどうかを示すために１ビットまたは複数ビットを有することを特徴とする実施形態２２に記載の方法。
【０１５６】
２７．各グループは１つのＰＭＩのみを有するときであることを特徴とする実施形態２２に記載の方法。
【０１５７】
２８．ＰＭＩが既存制御シグナリングにアタッチされまたは埋め込まれるのいずれかであることを特徴とする、既存制御シグナリングを変更せずにＰＭＩインジケータを送信するための実施形態１、１２、１７、または２２のいずれかに記載の方法。
【０１５８】
２９．プレコーディング確認およびプレコーディング情報またはインジケーション・メッセージを含む妥当性検査メッセージの使用によってｍｕｌｔｉｐｌｅ−ｉｎｐｕｔ  ｍｕｌｔｉｐｌｅ−ｏｕｔｐｕｔ  ＭＩＭＯ無線通信でのシグナリング・オーバーヘッドを減らす方法であって、妥当性検査メッセージは、
１ビットを有する確認メッセージと、
複数ビットを有する確認メッセージと、
少なくとも異なる可能なプレコーディング情報を示すビットを有するインジケーション・メッセージ用の１つの可能なサブメッセージと、
プレコーディングに関する異なるオーバーライド・ルールを示す少なくとも１ビットを有するオーバーライド・メッセージ用の１つの可能なサブメッセージと、
フィードバック・エラーを処理するための異なるプレコーディング・ルールを示す少なくとも１ビットを有するフィードバック・エラー・メッセージ用の１つの可能なサブメッセージと
からなることを特徴とする方法。
【０１５９】
３０．妥当性検査メッセージの形のプレコーディング確認およびプレコーディング情報またはインジケーションを使用することによってｍｕｌｔｉｐｌｅ−ｉｎｐｕｔ  ｍｕｌｔｉｐｌｅ−ｏｕｔｐｕｔ  ＭＩＭＯ無線通信において無線送受信ユニット（ＷＴＲＵ）とｅｖｏｌｖｅｄ  ＮｏｄｅＢ  ｅＮｏｄｅＢとの間のシグナリング・オーバーヘッドを減らすｅＮｏｄｅＢであって、ｅＮｏｄｅＢは、
ｅＮｏｄｅＢで使用されるプレコーディング情報の種類を示すために妥当性検査メッセージを送信するように構成され、妥当性検査メッセージは、少なくとも１ビットからなり、
妥当性検査メッセージは、確認メッセージおよびインジケーション・メッセージを提供し、妥当性検査メッセージは、別々のコーディングを使用する１つの確認メッセージおよび１つのインジケーション・メッセージからなるものとすることができ、
妥当性検査メッセージは、ジョイント・コーディングを使用する確認、情報、オーバーライド、またはエラー・メッセージを示す単一のメッセージとすることもでき、
インジケーション・メッセージは、プレコーディング情報インジケーション・メッセージ、ランク・オーバーライド・メッセージ、フィードバック・エラー・メッセージ、または組合せとすることができ、単一ユーザＳＵ−ＭＩＭＯのプレコーディング情報を示すことができ、複数ユーザＭＵ−ＭＩＭＯに関する所望のプレコーディング情報、干渉するプレコーディング情報、またはその両方を示すこともできる
ことを特徴とするｅＮｏｄｅＢ。
【０１６０】
３１．プレコーディング情報は、プレコーディング行列、ランク、他のプレコーディング関連情報、またはすべての組合せを含むことができることを特徴とする実施形態３０に記載のｅＮｏｄｅＢ。
【０１６１】
３２．妥当性検査メッセージは、確認メッセージ、インジケーション・メッセージ、フィードバック・エラー・メッセージ、およびオーバーライド・エラー・メッセージのうちの少なくとも２つの組合せを含むことを特徴とする実施形態３０に記載のｅＮｏｄｅＢ。
【０１６２】
３３．妥当性検査メッセージを、別々にコーディングまたは符号化し、あるいは合同でコーディングまたは符号化することができることを特徴とする実施形態３０に記載のｅＮｏｄｅＢ。
【０１６３】
３４．プレコーディング確認およびインジケーション・メッセージ（妥当性検査メッセージ）が別々にコーディングまたは符号化されるときに、妥当性検査メッセージ自体は、２つの部分すなわち確認部分およびインジケーション部分からなることを特徴とする実施形態３０に記載のｅＮｏｄｅＢ。
【０１６４】
３５．確認部分は、肯定確認メッセージまたは否定確認メッセージを運ぶために１ビットまたは複数のビットを使用することを特徴とする実施形態３４に記載のｅＮｏｄｅＢ。
【０１６５】
３６．肯定確認メッセージは、ｅＮｏｄｅＢで使用されるプレコーディング情報がＷＴＲＵからフィードバックされたプレコーディング情報と正確に同一であることをＷＴＲＵに知らせるのに使用されることを特徴とする実施形態３４に記載のｅＮｏｄｅＢ。
【０１６６】
３７．否定確認メッセージは、ｅＮｏｄｅＢで使用されるプレコーディング情報がＷＴＲＵからフィードバックされたプレコーディング情報と同一ではないことをＷＴＲＵに知らせるのに使用されることを特徴とする実施形態３４に記載のｅＮｏｄｅＢ。
【０１６７】
３８．インジケーション部分は、複数のインジケーション・メッセージを運ぶために少なくとも１ビットを使用することを特徴とする実施形態３４に記載のｅＮｏｄｅＢ。
【０１６８】
３９．インジケーション部分は、異なるプレコーディング情報がｅＮｏｄｅＢで使用されつつあることをＷＴＲＵに示すことを特徴とする実施形態３４に記載のｅＮｏｄｅＢ。
【０１６９】
４０．妥当性検査メッセージが合同でコーディングまたは符号化されるときに、妥当性検査メッセージは、確認部分およびインジケーション部分を単一の部分またはフィールドに組み合わせることを特徴とする実施形態３４に記載のｅＮｏｄｅＢ。
【０１７０】
４１．プレコーディング確認およびプレコーディング情報またはインジケーションに適するｍｕｌｔｉｐｌｅ−ｉｎｐｕｔ  ｍｕｌｔｉｐｌｅ−ｏｕｔｐｕｔ  ＭＩＭＯ無線通信内で動作する、シグナリング・オーバーヘッドを減らすｅｖｏｌｖｅｄ  Ｎｏｄｅ  Ｂ（ｅＮｏｄｅＢ）であって、
無線送受信ユニット（ＷＴＲＵ）アンテナ重みを含むプレコーディング行列インデックス（ＰＭＩ）をＷＴＲＵから受信し、
それ自体のアンテナ重みに関する情報を含むＰＭＩインジケータとして妥当性検査メッセージをＷＴＲＵに送信する
ように構成されることを特徴とするｅＮｏｄｅＢ。
【０１７１】
４２．妥当性検査メッセージは、専用基準信号を介してまたは制御シグナリング方式を介してＷＴＲＵに送信されることを特徴とする実施形態４１に記載のｅＮｏｄｅＢ。
【０１７２】
４３．ｅＮｏｄｅＢは、ＷＴＲＵのＰＭＩおよびｅＮｏｄｅＢのＰＭＩが同一であるときにＰＭＩインジケータのみを送信することを特徴とする実施形態４１に記載のｅＮｏｄｅＢ。
【０１７３】
４４．Ｎｏｄｅ−Ｂは、ＷＴＲＵのＰＭＩおよびｅＮｏｄｅＢのＰＭＩが同一ではないとき、またはＷＴＲＵのＰＭＩがｅＮｏｄｅＢのＰＭＩによってオーバーライドされるとき、またはフィードバック・エラーが発生するときに、そのＰＭＩと共にＰＭＩインジケータをＷＴＲＵに送信することを特徴とする実施形態４１に記載のｅＮｏｄｅＢ。
【０１７４】
４５．ＰＭＩインジケータ・サイズは、１ビットまたは複数ビットであり、状態確認を表すことができ、設計選択に依存してすべての任意の値とすることができることを特徴とする実施形態４１に記載のｅＮｏｄｅＢ。
【０１７５】
４６．プレコーディング確認およびプレコーディング情報またはインジケーションに適するｍｕｌｔｉｐｌｅ−ｉｎｐｕｔ  ｍｕｌｔｉｐｌｅ−ｏｕｔｐｕｔ  ＭＩＭＯ無線通信内で動作する、シグナリング・オーバーヘッドを減らすｅｖｏｌｖｅｄ  Ｎｏｄｅ  Ｂ（ｅＮｏｄｅＢ）であって、
無線送受信ユニット（ＷＴＲＵ）アンテナ重みを含む複数のプレコーディング行列インデックス（ＰＭＩ）をＷＴＲＵから受信し、
それ自体のアンテナ重みに関する情報を含む個々のＰＭＩインジケータとして妥当性検査メッセージをＷＴＲＵに送信する
ように構成されることを特徴とするｅＮｏｄｅＢ。
【０１７６】
４７．妥当性検査メッセージの一部は、専用基準信号を介してＷＴＲＵに送信され、妥当性検査メッセージの一部は、制御シグナリング方式を介してＷＴＲＵに送信されることを特徴とする実施形態４６に記載の方法。
【０１７７】
４８．ｅＮｏｄｅＢは、ＷＴＲＵのＰＭＩおよびｅＮｏｄｅＢのＰＭＩが同一であるときにＰＭＩインジケータのみを送信することを特徴とする実施形態４６に記載のｅＮｏｄｅＢ。
【０１７８】
４９．ｅＮｏｄｅＢは、ＷＴＲＵのＰＭＩのうちの少なくとも１つおよびｅＮｏｄｅＢのＰＭＩのうちの少なくとも１つが同一ではないとき、またはＷＴＲＵのＰＭＩがｅＮｏｄｅＢのＰＭＩによってオーバーライドされるとき、またはフィードバック・エラーが発生するときに、そのＰＭＩと共にＰＭＩインジケータをＷＴＲＵに送信することを特徴とする実施形態４６に記載のｅＮｏｄｅＢ。
【０１７９】
５０．ＰＭＩインジケータ・サイズは、１ビットまたはビットより多くであり、状態確認を表すことができ、設計選択に依存してすべての任意の値とすることができることを特徴とする実施形態４６に記載のｅＮｏｄｅＢ。
【０１８０】
５１．ＰＭＩが既存制御シグナリングにアタッチされまたは埋め込まれるのいずれかであることを特徴とする、既存制御シグナリングを変更せずにＰＭＩインジケータを送信するように構成された実施形態４６に記載のｅＮｏｄｅＢ。
【０１８１】
５２．プレコーディング確認およびプレコーディング情報または表示に適するｍｕｌｔｉｐｌｅ−ｉｎｐｕｔ  ｍｕｌｔｉｐｌｅ−ｏｕｔｐｕｔ  ＭＩＭＯ無線通信内で動作する、シグナリング・オーバーヘッドを減らすｅｖｏｌｖｅｄ  Ｎｏｄｅ  Ｂ（ｅＮｏｄｅＢ）であって、
無線送受信ユニット（ＷＴＲＵ）アンテナ重みを含むグループに分離される複数のプレコーディング行列インデックス（ＰＭＩ）をＷＴＲＵから受信し、
それ自体のアンテナ重みに関する情報を含むＰＭＩのグループごとの個々のＰＭＩインジケータとして妥当性検査メッセージをＷＴＲＵに送信する
ように構成されることを特徴とするｅＮｏｄｅＢ。
【０１８２】
５３．妥当性検査メッセージの一部は、専用基準信号を介してＷＴＲＵに送信され、妥当性検査メッセージの一部は、制御シグナリング方式を介してＷＴＲＵに送信されることを特徴とする実施形態５２に記載のｅＮｏｄｅＢ。
【０１８３】
５４．ｅＮｏｄｅＢは、ＷＴＲＵのＰＭＩおよびｅＮｏｄｅＢのグループのＰＭＩが同一であるときにすべてのグループのＰＭＩインジケータを含むＰＭＩインジケータのみを送信することを特徴とする実施形態５２に記載のｅＮｏｄｅＢ。
【０１８４】
５５．ｅＮｏｄｅＢは、ＷＴＲＵのグループのＰＭＩのうちの少なくとも１つおよびｅＮｏｄｅＢのグループのＰＭＩのうちの少なくとも１つが同一ではないとき、またはＷＴＲＵのＰＭＩがｅＮｏｄｅＢのＰＭＩによってオーバーライドされるとき、またはフィードバック・エラーが発生するときに、そのＰＭＩと共にＰＭＩインジケータをＷＴＲＵに送信することを特徴とする実施形態５２に記載のｅＮｏｄｅＢ。
【０１８５】
５６．ＰＭＩインジケータの各グループまたは各ＰＭＩインジケータは、アンテナ重みがｅＮｏｄｅＢおよびＷＴＲＵについて同一であるかどうかを示すために１ビットまたは複数ビットを有することを特徴とする実施形態５２に記載のｅＮｏｄｅＢ。
【０１８６】
５７．各グループは、１つのＰＭＩだけを有することを特徴とする実施形態５２に記載のｅＮｏｄｅＢ。
【０１８７】
５８．ＰＭＩは既存制御シグナリングにアタッチされまたは埋め込まれるのいずれかであることを特徴とする、既存制御シグナリングを変更せずにＰＭＩインジケータを送信するように構成された実施形態５２に記載のｅＮｏｄｅＢ。
【０１８８】
５９．ｍｕｌｔｉｐｌｅ−ｉｎｐｕｔ  ｍｕｌｔｉｐｌｅ−ｏｕｔｐｕｔ  ＭＩＭＯ無線通信で動作し、プレコーディング確認およびプレコーディング情報または表示のためのトランシーバおよびプロセッサを有し、プレコーディング行列情報ＰＭＩを含む妥当性検査メッセージを生成するように構成された、シグナリング・オーバーヘッドを減らすｅｖｏｌｖｅｄ  Ｎｏｄｅ  Ｂ（ｅＮｏｄｅＢ）であって、妥当性検査メッセージは、
１ビットを有する確認メッセージ、または
複数ビットを有する確認メッセージと、
少なくとも異なる可能なプレコーディング情報を示すビットを有するインジケーション・メッセージ用の１つの可能なサブメッセージと、
プレコーディングに関する異なるオーバーライド・ルールを示す少なくとも１ビットを有するオーバーライド・メッセージ用の１つの可能なサブメッセージと、
フィードバック・エラーを処理するための異なるプレコーディング・ルールを示す少なくとも１ビットを有するフィードバック・エラー・メッセージ用の１つの可能なサブメッセージと
を含むことを特徴とするｅＮｏｄｅＢ。
【０１８９】
６０．妥当性検査メッセージの形のプレコーディング確認およびプレコーディング情報またはインジケーションを使用することによってｍｕｌｔｉｐｌｅ−ｉｎｐｕｔ  ｍｕｌｔｉｐｌｅ−ｏｕｔｐｕｔ  ＭＩＭＯ無線通信でのｅｖｏｌｖｅｄ  ＮｏｄｅＢと無線送受信ユニット（ＷＴＲＵ）との間のシグナリング・オーバーヘッドを減らすＷＴＲＵであって、
ｅＮｏｄｅＢで使用されるプレコーディング情報の種類を示す妥当性検査メッセージを受信するように構成され、妥当性検査メッセージは、少なくとも１ビットを含み、
妥当性検査メッセージは、プレコーディング確認メッセージおよびインジケーション・メッセージを提供し、妥当性検査メッセージは、別々のコーディングを使用する１つの確認メッセージおよび１つのインジケーション・メッセージからなるものとすることができ、
妥当性検査メッセージは、ジョイント・コーディングを使用する確認、情報、オーバーライド、またはエラー・メッセージを示す単一のメッセージとすることもでき、
インジケーション・メッセージは、プレコーディング情報インジケーション・メッセージ、ランク・オーバーライド・メッセージ、フィードバック・エラー・メッセージ、または組合せとすることができ、単一ユーザＳＵ−ＭＩＭＯのプレコーディング情報を示すことができ、複数ユーザＭＵ−ＭＩＭＯに関する所望のプレコーディング情報、干渉するプレコーディング情報、またはその両方を示すこともできる
ことを特徴とするＷＴＲＵ。
【０１９０】
６１．妥当性検査メッセージは、確認メッセージ、インジケーション・メッセージ、フィードバック・エラー・メッセージ、およびオーバーライド・エラー・メッセージのうちの少なくとも２つの組合せを含むことを特徴とする実施形態６０に記載のＷＴＲＵ。
【０１９１】
６２．プレコーディング情報およびインジケーション・メッセージ（妥当性検査メッセージ）は、別々に符号化されまたは合同で符号化され得ることを特徴とする実施形態６０に記載のＷＴＲＵ。
【０１９２】
６３．妥当性検査メッセージが別々にコーディングまたは符号化されるときに、妥当性検査メッセージ自体は、２つの部分すなわち確認部分およびインジケーション部分からなることを特徴とする実施形態６０に記載のＷＴＲＵ。
【０１９３】
６４．確認部分は、肯定確認メッセージまたは否定確認メッセージを運ぶために１ビットまたは複数のビットを使用することを特徴とする実施形態６３に記載のＷＴＲＵ。
【０１９４】
６５．肯定確認メッセージは、ｅＮｏｄｅＢで使用されるプレコーディング情報がＷＴＲＵからフィードバックされたプレコーディング情報と正確に同一であることをＷＴＲＵに知らせるのに使用されることを特徴とする実施形態６０に記載のＷＴＲＵ。
【０１９５】
６６．否定確認メッセージは、ｅＮｏｄｅＢで使用されるプレコーディング情報がＷＴＲＵからフィードバックされたプレコーディング情報と同一ではないことをＷＴＲＵに知らせるのに使用されることを特徴とする実施形態６０に記載のＷＴＲＵ。
【０１９６】
６７．インジケーション部分は、複数のインジケーション・メッセージを運ぶために１ビットまたは複数ビットを使用することを特徴とする実施形態６３に記載のＷＴＲＵ。
【０１９７】
６８．インジケーション部分は、異なるプレコーディング情報がｅＮｏｄｅＢで使用されつつあることをＷＴＲＵに示すことを特徴とする実施形態６４に記載のＷＴＲＵ。
【０１９８】
６９．妥当性検査メッセージが合同でコーディングまたは符号化されるときに、妥当性検査メッセージは、確認部分およびインジケーション部分を組み合わせることを特徴とする実施形態６４に記載のＷＴＲＵ。
【０１９９】
７０．ｍｕｌｔｉｐｌｅ−ｉｎｐｕｔ  ｍｕｌｔｉｐｌｅ−ｏｕｔｐｕｔ  ＭＩＭＯ無線通信で動作し、プレコーディング確認およびプレコーディング情報またはインジケーションのためのトランシーバおよびプロセッサおよびプロセッサを有し、プレコーディング行列情報ＰＭＩを含む妥当性検査メッセージを生成するように構成された、シグナリング・オーバーヘッドを減らす無線送受信ユニットＷＴＲＵであって、妥当性検査メッセージは、
１ビットを有する確認メッセージ、または
少なくとも１つのビットを有する確認メッセージと、
少なくとも異なる可能なプレコーディング情報を示すビットを有するインジケーション・メッセージ用の１つの可能なサブメッセージと、
プレコーディングに関する異なるオーバーライド・ルールを示す少なくとも１ビットを有するオーバーライド・メッセージ用の１つの可能なサブメッセージと、
フィードバック・エラーを処理するための異なるプレコーディング・ルールを示す少なくとも１ビットを有するフィードバック・エラー・メッセージ用の１つの可能なサブメッセージと
を含むことを特徴とするＷＴＲＵ。
【０２００】
７１．ｍｕｌｔｉｐｌｅ−ｉｎｐｕｔ  ｍｕｌｔｉｐｌｅ−ｏｕｔｐｕｔ  ＭＩＭＯ無線通信で動作し、プレコーディング確認およびプレコーディング情報またはインジケーションのためのトランシーバおよびプロセッサを有する、シグナリング・オーバーヘッドを減らす無線送受信ユニット（ＷＴＲＵ）であって、
ＷＴＲＵアンテナ重みを含むプレコーディング行列インデックス（ＰＭＩ）をｅｖｏｌｖｅｄ  ＮｏｄｅＢ（ｅＮｏｄｅＢ）に送信し、
それ自体のアンテナ重みに関する情報を含むＰＭＩインジケータとして妥当性検査メッセージをｅＮｏｄｅＢから受信する
ように構成されることを特徴とするＷＴＲＵ。
【０２０１】
７２．妥当性検査メッセージの一部は、専用基準信号を介して受信され、妥当性検査メッセージの一部は、制御シグナリング方式を介して受信されることを特徴とする実施形態７１に記載のＷＴＲＵ。
【０２０２】
７３．ＷＴＲＵは、ＷＴＲＵのＰＭＩおよびｅＮｏｄｅＢのＰＭＩが同一であるときにプレコーディング確認またはＰＭＩインジケータのみを受信することを特徴とする実施形態７２に記載のＷＴＲＵ。
【０２０３】
７４．ＷＴＲＵは、ＷＴＲＵのＰＭＩおよびｅＮｏｄｅＢのＰＭＩが同一ではないとき、またはＷＴＲＵのＰＭＩがｅＮｏｄｅＢのＰＭＩによってオーバーライドされるとき、またはフィードバック・エラーが発生するときに、そのＰＭＩと共にＰＭＩインジケータを受信することを特徴とする実施形態７１に記載のＷＴＲＵ。
【０２０４】
７５．ＰＭＩインジケータ・サイズは、１ビットまたは複数ビットであり、状態確認を表すことができ、設計選択に依存してすべての任意の値とすることができることを特徴とする実施形態７１に記載のＷＴＲＵ。
【０２０５】
７６．妥当性検査メッセージの一部は、専用基準信号を介してトランシーバによって受信され、妥当性検査メッセージの一部は、制御シグナリング方式を介して受信されることを特徴とする実施形態７１に記載のＷＴＲＵ。
【０２０６】
７７．ｍｕｌｔｉｐｌｅ−ｉｎｐｕｔ  ｍｕｌｔｉｐｌｅ−ｏｕｔｐｕｔ  ＭＩＭＯ無線通信で動作し、プレコーディング確認およびプレコーディング情報またはインジケーションのためのトランシーバおよびプロセッサを有する、シグナリング・オーバーヘッドを減らす無線送受信ユニット（ＷＴＲＵ）であって、
ＷＴＲＵアンテナ重みを含む複数のプレコーディング行列インデックス（ＰＭＩ）をｅｖｏｌｖｅｄ  ＮｏｄｅＢ（ｅＮｏｄｅＢ）に送信し、
ｅＮｏｄｅＢ自体のアンテナ重みに関する情報を含む個々のＰＭＩインジケータとして妥当性検査メッセージをｅＮｏｄｅＢから受信する
ように構成されることを特徴とするＷＴＲＵ。
【０２０７】
７８．妥当性検査メッセージの一部は、専用基準信号を介してまたは制御シグナリング方式を介してトランシーバによって受信されることを特徴とする実施形態７７に記載のＷＴＲＵ。
【０２０８】
７９．ＷＴＲＵは、ＷＴＲＵのＰＭＩおよびｅＮｏｄｅＢのＰＭＩが同一であるときにｅＮｏｄｅＢからＰＭＩインジケータのみを受信することを特徴とする実施形態７７に記載のＷＴＲＵ。
【０２０９】
８０．ＷＴＲＵは、ＷＴＲＵのＰＭＩのうちの少なくとも１つおよびｅＮｏｄｅＢのＰＭＩのうちの少なくとも１つが同一ではないとき、またはＷＴＲＵのＰＭＩがｅＮｏｄｅＢのＰＭＩによってオーバーライドされるとき、またはフィードバック・エラーが発生するときに、ｅＮｏｄｅＢ  ＰＭＩと共にＰＭＩインジケータを受信することを特徴とする実施形態７７に記載のＷＴＲＵ。
【０２１０】
８１．ＰＭＩインジケータ・サイズは、１ビットまたは複数ビットであり、状態確認を表すことができ、設計選択に依存してすべての任意の値とすることができることを特徴とする実施形態８０に記載のＷＴＲＵ。
【０２１１】
８２．ｍｕｌｔｉｐｌｅ−ｉｎｐｕｔ  ｍｕｌｔｉｐｌｅ−ｏｕｔｐｕｔ  ＭＩＭＯ無線通信で動作し、プレコーディング行列表示のためのトランシーバおよびプロセッサを有する、シグナリング・オーバーヘッドを減らす無線送受信ユニット（ＷＴＲＵ）であって、
ＷＴＲＵアンテナ重みを含むグループに分離される複数のプレコーディング行列インデックス（ＰＭＩ）をｅｖｏｌｖｅｄ  ＮｏｄｅＢ（ｅＮｏｄｅＢ）に送信し、
それ自体のアンテナ重みに関する情報を含むＰＭＩのグループごとの個々のＰＭＩインジケータとして妥当性検査メッセージをｅＮｏｄｅＢから受信する
ように構成されることを特徴とするＷＴＲＵ。
【０２１２】
８３．妥当性検査メッセージの一部は、専用基準信号を介してトランシーバによって受信され、妥当性検査メッセージの一部は、制御シグナリング方式を介して受信されることを特徴とする実施形態８２に記載のＷＴＲＵ。
【０２１３】
８４．ＷＴＲＵは、ＷＴＲＵのＰＭＩおよびｅＮｏｄｅＢのグループのＰＭＩが同一であるときにすべてのグループのＰＭＩインジケータを含むｅＮｏｄｅＢから１つのＰＭＩインジケータだけを受信することを特徴とする実施形態８２に記載のＷＴＲＵ。
【０２１４】
８５．ＷＴＲＵは、ＷＴＲＵのグループのＰＭＩのうちの少なくとも１つおよびｅＮｏｄｅＢのグループのＰＭＩのうちの少なくとも１つが同一ではないとき、またはＷＴＲＵのＰＭＩがｅＮｏｄｅＢのＰＭＩによってオーバーライドされるとき、またはフィードバック・エラーが発生するときに、そのＰＭＩと共にＰＭＩインジケータをｅＮｏｄｅＢから受信することを特徴とする実施形態８２に記載のＷＴＲＵ。
【０２１５】
８６．ＰＭＩインジケータの各グループまたは各ＰＭＩインジケータは、アンテナ重みがｅＮｏｄｅＢおよびＷＴＲＵについて同一であるかどうかを示すために１ビットまたは複数ビットを有することを特徴とする実施形態８２に記載のＷＴＲＵ。
【０２１６】
８７．各グループは１つのＰＭＩのみを有することを特徴とする実施形態８２に記載のＷＴＲＵ。
【０２１７】
８８．ＰＭＩは既存制御シグナリングにアタッチされまたは埋め込まれるのいずれかであることを特徴とする、ｅＮｏｄｅＢからＰＭＩインジケータを受信するように構成された実施形態８２に記載のＷＴＲＵ。
【０２１８】
本発明の特徴および要素を、好ましい実施形態で特定の組合せで説明したが、各特徴または要素を、好ましい実施形態の他の特徴および要素を伴わずに単独でまたは本発明の他の特徴および要素を伴うもしくは伴わないさまざまな組合せで使用することができる。本発明で提供された方法または流れ図を、汎用コンピュータまたはプロセッサによる実行のためにコンピュータ可読記憶媒体内で有形に実施されるコンピュータプログラム、ソフトウェア、またはファームウェアで実施することができる。コンピュータ可読記憶媒体の例は、読取り専用メモリＲＯＭ、ランダムアクセスメモリＲＡＭ、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびディジタル多用途ディスクＤＶＤなどの光媒体を含む。
【０２１９】
適切なプロセッサは、たとえば、汎用プロセッサ、特殊目的プロセッサ、従来のプロセッサ、ディジタル信号プロセッサＤＳＰ、複数のマイクロプロセッサ、ＤＳＰコアに関連する１つまたは複数のマイクロプロセッサ、コントローラ、マイクロコントローラ、特定用途向け集積回路ＡＳＩＣ、フィールドプログラマブルゲートアレイＦＰＧＡ回路、任意の他のタイプの集積回路ＩＣ、および／または状態機械を含む。
【０２２０】
ソフトウェアに関連するプロセッサを使用して、無線送受信ユニットＷＴＲＵ内で使用される無線周波数トランシーバ、無線送受信ユニットＷＴＲＵ、端末、基地局、無線ネットワークコントローラＲＮＣ、または任意のホストコンピュータを実施することができる。ＷＴＲＵは、カメラ、ビデオカメラモジュール、ビデオ電話、スピーカホン、振動デバイス、スピーカ、マイクロホン、テレビジョン受像機、ハンズフリーヘッドセット、キーボード、Ｂｌｕｅｔｏｏｔｈ（登録商標）モジュール、周波数変調ＦＭ無線ユニット、液晶ディスプレイＬＣＤディスプレイユニット、有機発光ダイオードＯＬＥＤディスプレイユニット、ディジタル音楽プレイヤ、メディアプレイヤ、ビデオゲームプレイヤモジュール、インターネットブラウザ、および／または任意の無線ローカルエリアネットワークＷＬＡＮモジュールなど、ハードウェアおよび／またはソフトウェアで実施されるモジュールと共に使用することができる。
【図１Ａ】
2014132764.tif 000030
【図１Ｂ】
2014132764.tif 000031
【図２】
2014132764.tif 000032
【図３Ａ】
2014132764.tif 000033
【図３Ｂ】
2014132764.tif 000034
【図４】
2014132764.tif 000035
【図５】
2014132764.tif 000036
【図６】
2014132764.tif 000037
【図７】
2014132764.tif 000038
【図８】
2014132764.tif 000039
【図９】
2014132764.tif 000040
【図１０】
2014132764.tif 000041
【図１１】
2014132764.tif 000042